(57)【要約】  ワイヤレス通信システムで使用するための端末デバイスは、基地局とワイヤレス通信を行い、その基地局から受信されたシステム情報データから通信パラメータを定義するシステム情報を取得するためのトランシーバと、システム情報ストレージと、新たに通信する基地局に適用可能なシステム情報の少なくとも一部をシステム情報ストレージがすでに保持しているかどうかを検出し、端末デバイスによってまだ保持されていないシステム情報の任意の部分を取得するようにトランシーバを制御するためのコントローラとを含み、システム情報が、複数のシステム情報ブロックを含み、コントローラが、新たに通信する基地局に適用可能なシステム情報ストレージによって記憶されるシステム情報ブロックの一部を検出し、新たに通信する基地局からそのシステム情報ブロックの他の部分を部分的なシステム情報ブロックとして取得するように構成される。【選択図】図８
2018533881.tif 000002
【特許請求の範囲】
【請求項１】
ワイヤレス通信システムで使用するための端末デバイスであって、
基地局とワイヤレス通信を行い、その基地局から受信されたシステム情報データから通信パラメータを定義するシステム情報を取得するためのトランシーバと、
システム情報ストレージと、
前記システム情報ストレージが新たに通信する基地局に適用可能な前記システム情報の少なくとも一部をすでに保持しているかどうかを検出し、前記端末デバイスによってまだ保持されていない前記システム情報の任意の部分を取得するように前記トランシーバを制御するためのコントローラと
を含み、前記システム情報が、複数のシステム情報ブロックを含み、
前記コントローラが、前記新たに通信する基地局に適用可能な前記システム情報ストレージによって記憶されるシステム情報ブロックの一部を検出し、前記新たに通信する基地局からそのシステム情報ブロックの他の部分を部分的なシステム情報ブロックとして取得するように構成される
端末デバイス。
【請求項２】
前記コントローラが、前記新たに通信する基地局から受信されたシステム情報に関連する識別データが、前記システム情報ストレージによって記憶されたシステム情報に関連する識別データに対応するかどうかを検出するように構成される、請求項１に記載の端末デバイス。
【請求項３】
前記システム情報ストレージが、システム情報の２つ以上のインスタンスを記憶するように構成され、各インスタンスが、１つ以上のそれぞれの基地局に対応する、請求項１に記載の端末デバイス。
【請求項４】
前記システム情報ストレージが、前記端末デバイスによって直近に取得されたシステム情報の２つ以上の異なるインスタンスを記憶するように構成される、請求項３に記載の端末デバイス。
【請求項５】
前記システム情報が、端末デバイスが前記システム情報ブロックを取得する前に前記端末デバイスによって取得されたマスター情報ブロックを含み、
前記システム情報ブロックが、一連の第１のシステム情報ブロックと、１つ以上のさらなるシステム情報ブロックとを含み、
前記マスター情報ブロックが、前記第１のシステム情報ブロックの受信のための１つ以上のパラメータを提供し、
前記第１のシステム情報ブロックが、前記１つ以上のさらなるシステム情報ブロックの受信のための１つ以上のパラメータを提供する
請求項１に記載の端末デバイス。
【請求項６】
前記識別データが、前記マスター情報ブロックと前記第１のシステム情報ブロックの一方又は両方によって搬送される、請求項５に記載の端末デバイス。
【請求項７】
システム情報ストアによって記憶されたシステム情報に対応する識別データを搬送する第１のシステム情報ブロックの受信に応答して、前記コントローラが、前記さらなるシステム情報ブロックを受信しないように前記トランシーバを制御するように構成される、請求項６に記載の端末デバイス。
【請求項８】
前記システム情報ストレージが、前記識別データとして、記憶されたシステム情報のインスタンスの少なくともそれぞれの部分に適用可能な１つ以上の基地局識別子のセットを記憶するように構成される、請求項２に記載の端末デバイス。
【請求項９】
前記基地局識別子が、
セル識別子、
エリア識別子、
情報ブロックタグ、
トラッキングエリア識別子、及び
パブリックランドモバイルネットワーク識別子
からなるリストから選択される１つ以上を含む、請求項８に記載の端末デバイス。
【請求項１０】
基地局から受信された前記システム情報が、
その基地局との通信のための通信パラメータ、及び
デバイス間通信動作において、その基地局から受信された通信パラメータの制御下で動作する他の端末デバイスと通信するための通信パラメータ
のうちの１つ又は両方を定義する、
請求項１に記載の端末デバイス。
【請求項１１】
前記基地局から受信された前記システム情報データが、前記基地局によってブロードキャストされたシステム情報データである、請求項１に記載の端末デバイス。
【請求項１２】
ワイヤレス通信システムで使用するための端末デバイスであって、
基地局とワイヤレス通信を行い、複数の情報ブロックを含むシステム情報データから通信パラメータを定義するシステム情報を取得するためのトランシーバと、
システム情報ストレージと、
前記システム情報ストレージが前記新たに通信する基地局に適用可能な前記システム情報の少なくとも一部をすでに保持しているかどうかを検出し、前記端末デバイスによってまだ保持されていない前記システム情報の任意の部分を前記新たに通信する基地局から取得するように前記トランシーバを制御するためのコントローラと
を含み、前記コントローラが、前記新たに通信する基地局によって送信された情報ブロックに関連する識別データが、前記システム情報ストレージによって記憶された情報ブロックに関連する識別データに対応するかどうかを検出するように構成され、
前記識別データが、基地局のグループを識別するエリア情報と、１つ以上の前記情報ブロックのバージョンを識別する値タグとを含む
端末デバイス。
【請求項１３】
前記エリア情報によって識別される基地局の前記グループが、前記値タグが適用可能な基地局を識別する、請求項１２に記載の端末デバイス。
【請求項１４】
前記システム情報が、端末デバイスが前記システム情報ブロックを取得する前に前記端末デバイスによって取得されたマスター情報ブロックを含み、
前記システム情報ブロックが、一連の第１のシステム情報ブロックと、１つ以上のさらなるシステム情報ブロックとを含み、
前記マスター情報ブロックが、前記第１のシステム情報ブロックの受信のための１つ以上のパラメータを提供し、
前記第１のシステム情報ブロックが、前記１つ以上のさらなるシステム情報ブロックの受信のための１つ以上のパラメータを提供する
請求項１２に記載の端末デバイス。
【請求項１５】
それぞれの値タグが、前記マスター情報ブロック、前記第１のシステム情報ブロック、及び前記さらなるシステム情報ブロックの各々に関連付けられる、請求項１４に記載の端末デバイス。
【請求項１６】
ワイヤレス通信システムで使用するための端末デバイスであって、
基地局とワイヤレス通信を行い、その基地局によって送信されたシステム情報データから通信パラメータを定義するシステム情報を取得するためのトランシーバと、
前記システム情報と、前記システム情報のそれぞれの部分のバージョンを識別する１つ以上の関連する値タグとを記憶するように構成されたシステム情報ストレージと、
前記システム情報ストレージが前記新たに通信する基地局に適用可能な前記システム情報の少なくとも一部をすでに保持しているかどうかを検出し、前記基地局から前記端末デバイスによってまだ保持されていない前記システム情報の任意の部分を取得するように前記トランシーバを制御するためのコントローラと
を含み、前記コントローラが、更新されたシステム情報を取得する旨の命令を検出し、前記命令の検出に応答して、前記システム情報ストレージによって保持される前記関連する値タグとは異なる部分のバージョンを示す値タグを有する前記システム情報の部分のみの更新バージョンを前記基地局から取得するように構成される
端末デバイス。
【請求項１７】
前記命令が、前記基地局から受信されたページング命令である、請求項１６に記載の端末デバイス。
【請求項１８】
前記システム情報が、端末デバイスが前記システム情報ブロックを取得する前に前記端末デバイスによって取得されたマスター情報ブロックを含み、
前記システム情報ブロックが、一連の第１のシステム情報ブロックと、１つ以上のさらなるシステム情報ブロックとを含み、
前記マスター情報ブロックが、前記第１のシステム情報ブロックの受信のための１つ以上のパラメータを提供し、
前記第１のシステム情報ブロックが、前記１つ以上のさらなるシステム情報ブロックの受信のための１つ以上のパラメータを提供する
請求項１６に記載の端末デバイス。
【請求項１９】
前記命令が、前記マスター情報ブロック又は前記第１のシステム情報ブロックに含まれる、請求項１８に記載の端末デバイス。
【請求項２０】
前記コントローラが、前記システム情報の有効期間を示す有効タイマーを維持するように構成され、前記命令が、前記有効期間の終了に応答して検出される、請求項１６に記載の端末デバイス。
【請求項２１】
前記コントローラが、前記有効期間の終了前に前記基地局から受信されたタイマーリセットメッセージに応答して、前記有効期間の残りの部分を増加させるように前記有効タイマーを変更する、請求項２０に記載の端末デバイス。
【請求項２２】
前記コントローラが、前記タイマーリセットメッセージに応答して、十分な有効期間が残っていることを示すために前記有効タイマーをリセットする、請求項２１に記載の端末デバイス。
【請求項２３】
前記タイマーリセットメッセージが、前記基地局から受信されたページングメッセージである、請求項２２に記載の端末デバイス。
【請求項２４】
ワイヤレス通信システムで使用するための端末デバイスであって、
基地局とワイヤレス通信を行い、その基地局によって送信されたシステム情報データから通信パラメータを定義するシステム情報を取得するためのトランシーバと、
システム情報ストレージと、
前記システム情報ストレージが前記新たに通信する基地局に適用可能な前記システム情報の少なくとも一部をすでに保持しているかどうかを検出し、前記基地局から前記端末デバイスによってまだ保持されていない前記システム情報の任意の部分を取得するように前記トランシーバを制御するためのコントローラと
を含み、前記コントローラが、前記システム情報の有効期間を示す有効タイマーを維持し、前記有効期間の終了に応答して、更新されたシステム情報を前記基地局から取得するように構成され、
前記コントローラが、前記有効期間の終了前に前記基地局から受信されたタイマーリセットメッセージに応答して、前記有効期間の残りの部分を増加させるように前記有効タイマーを変更する
端末デバイス。
【請求項２５】
前記コントローラが、前記タイマーリセットメッセージに応答して、十分な有効期間が残っていることを示すために前記有効タイマーをリセットする、請求項２４に記載の端末デバイス。
【請求項２６】
前記タイマーリセットメッセージが、前記基地局から受信されたページングメッセージである、請求項２５に記載の端末デバイス。
【請求項２７】
前記タイマーリセットメッセージが、前記基地局から受信された第１のシステム情報メッセージに含まれ、前記有効タイマーへの変更が、１つ以上のさらなるシステム情報メッセージに適用される、請求項２４に記載の端末デバイス。
【請求項２８】
前記コントローラは、前記基地局から受信された第１のシステム情報メッセージから、前記タイマーリセットメッセージを推定するように構成され、前記基地局に対して、前記コントローラは、前記システム情報ストレージがそのメッセージに対応するシステム情報をすでに保持しているかどうかを検出し、前記有効タイマーへの変更が、１つ以上のさらなるシステム情報メッセージに適用される、請求項２４に記載の端末デバイス。
【請求項２９】
ワイヤレス通信システムで使用するための基地局であって、
端末デバイスとのワイヤレス通信を行うトランシーバと、
通信パラメータを定義するシステム情報と、前記システム情報の少なくとも一部を共通に有する２つ以上の基地局のグループを示す識別データとを送信するように前記トランシーバを制御するためのコントローラと
を含み、前記システム情報が、複数のシステム情報ブロックを含み、
前記コントローラが、（ｉ）システム情報ブロックの完全なインスタンス、及び（ｉｉ）別の基地局に適用可能なシステム情報のインスタンスに関する差異情報を含む前記システム情報ブロックの部分的なインスタンスを送信するように前記トランシーバを制御するように構成される
基地局。
【請求項３０】
前記システム情報が、マスター情報ブロックと、２つ以上のシステム情報ブロックとを含み、
前記システム情報ブロックが、一連の第１のシステム情報ブロックと、１つ以上のさらなるシステム情報ブロックとを含み、
前記マスター情報ブロックが、前記第１のシステム情報ブロックの端末デバイスによる受信のための１つ以上のパラメータを提供し、
前記第１のシステム情報ブロックが、前記１つ以上のさらなるシステム情報ブロックの端末デバイスによる受信のための１つ以上のパラメータを提供する
請求項２９に記載の基地局。
【請求項３１】
前記コントローラが、前記マスター情報ブロック及び前記第１のシステム情報ブロックの一方又は両方において前記識別データを送信するように前記トランシーバを制御するように構成される、請求項３０に記載の基地局。
【請求項３２】
前記コントローラが、前記システム情報をブロードキャストするように前記トランシーバを制御するように構成される、請求項２９に記載の基地局。
【請求項３３】
前記識別データ、及び前記システム情報の少なくとも一部が２つ以上の基地局の前記セットの間で共通である、請求項２９に記載の各々２つ以上の基地局のセット。
【請求項３４】
ワイヤレス通信システムで使用するための基地局であって、
端末デバイスとのワイヤレス通信を行うトランシーバと、
通信パラメータを定義するシステム情報を送信するように前記トランシーバを制御するためのコントローラと
を含み、前記システム情報が、複数のシステム情報ブロックを含み、
前記コントローラが、その基地局によって保持されたシステム情報について、その基地局によって維持される有効期間の残りの部分を増加させるよう端末デバイスに指示するためのタイマーリセットメッセージを送信するように前記トランシーバを制御するように構成される
基地局。
【請求項３５】
ワイヤレス通信システムで使用するための基地局であって、
端末デバイスとのワイヤレス通信を行うトランシーバと、
その基地局の通信パラメータを定義するシステム情報のセットを参照する基準データを送信するように前記トランシーバを制御するためのコントローラと
を含み、前記コントローラが、前記参照されたシステム情報に従ってワイヤレス通信を行うように前記トランシーバを制御するように構成される
基地局。
【請求項３６】
基地局によって送信されるワイヤレスデータ信号であって、前記ワイヤレスデータ信号が、通信パラメータを定義するシステム情報ブロックと、前記システム情報の少なくとも一部を共通に有する２つ以上の基地局のグループを示す識別データとを含み、前記システム情報ブロックが、（ｉ）システム情報ブロックの完全なインスタンス、及び（ｉｉ）別の基地局に適用可能なシステム情報のインスタンスに関する差異情報を含む前記システム情報ブロックの部分的なインスタンスを含む、ワイヤレスデータ信号。
【請求項３７】
基地局によって送信されるワイヤレスデータ信号であって、前記ワイヤレスデータ信号が、通信パラメータを定義するシステム情報ブロックと、時々、その基地局によって保持されたシステム情報について、その基地局によって維持される有効期間の残りの部分を増加させるよう端末デバイスに指示するためのタイマーリセットメッセージとを含む、ワイヤレスデータ信号。
【請求項３８】
ワイヤレス通信システムで使用するための端末デバイスの動作の方法であって、
基地局から受信されたシステム情報データから通信パラメータを定義するシステム情報を取得することであって、前記システム情報が、複数のシステム情報ブロックを含む、ことと、
前記システム情報を記憶することと、
新たに通信する基地局に適用可能な前記システム情報の少なくとも一部をシステム情報ストレージがすでに保持しているかどうかを検出することと、
前記新たに通信する基地局に適用可能な記憶されたシステム情報ブロックの一部を検出し、前記新たに通信する基地局からそのシステム情報ブロックの他の部分を部分的なシステム情報ブロックとして取得することによって、まだ記憶されていない前記システム情報の任意の部分を取得することと
を含む方法。
【請求項３９】
コンピュータによって実行されると、前記コンピュータに、請求項３８の前記方法を実行させるコンピュータソフトウェア。
【請求項４０】
請求項３９に記載のコンピュータソフトウェアを記憶した機械可読非一時的記憶媒体。
【請求項４１】
ワイヤレス通信システムで使用するための端末デバイスの動作の方法であって、
複数の情報ブロックを含むシステム情報データから通信パラメータを定義するシステム情報を取得することと、
前記システム情報を記憶することと、
新たに通信する基地局に適用可能な前記システム情報の少なくとも一部をシステム情報ストレージがすでに保持しているかどうかを検出することと、
前記新たに通信する基地局から、まだ記憶されていない前記システム情報の任意の部分を取得することと、
前記新たに通信する基地局によって送信された情報ブロックに関連する識別データが、記憶された情報ブロックに関連する識別データに対応するかどうかを検出することと
を含み、前記識別データが、基地局のグループを識別するエリア情報と、１つ以上の前記情報ブロックのバージョンを識別する値タグとを含む
方法。
【請求項４２】
コンピュータによって実行されると、前記コンピュータに、請求項４１の前記方法を実行させるコンピュータソフトウェア。
【請求項４３】
請求項４２に記載のコンピュータソフトウェアを記憶した機械可読非一時的記憶媒体。
【請求項４４】
ワイヤレス通信システムで使用するための端末デバイスの動作の方法であって、
基地局によって送信されたシステム情報データから通信パラメータを定義するシステム情報を取得することと、
前記システム情報と、前記システム情報のそれぞれの部分のバージョンを識別する１つ以上の関連する値タグとを記憶することと、
前記新たに通信する基地局に適用可能な前記システム情報の少なくとも一部をシステム情報ストレージがすでに保持しているかどうかを検出することと、
前記端末デバイスによってまだ保持されていない前記システム情報の任意の部分を前記基地局から取得することと、
更新されたシステム情報を取得する旨の命令を検出することと、
前記命令の検出に応答して、前記関連する記憶された値タグとは異なる部分のバージョンを示す値タグを有する前記システム情報の部分のみの更新バージョンを前記基地局から取得することと
を含む方法。
【請求項４５】
コンピュータによって実行されると、前記コンピュータに、請求項４４の前記方法を実行させるコンピュータソフトウェア。
【請求項４６】
請求項４５に記載のコンピュータソフトウェアを記憶した機械可読非一時的記憶媒体。
【請求項４７】
ワイヤレス通信システムで使用するための端末デバイスの動作の方法であって、
基地局によって送信されたシステム情報データから通信パラメータを定義するシステム情報を取得することと、
前記システム情報を記憶することと、
前記新たに通信する基地局に適用可能な前記システム情報の少なくとも一部をシステム情報ストレージがすでに保持しているかどうかを検出することと、
前記端末デバイスによってまだ記憶されていない前記システム情報の任意の部分を前記基地局から取得することと、
前記システム情報の有効期間を示す有効タイマーを維持することと、
前記有効期間の終了に応答して、更新されたシステム情報を前記基地局から取得することと、
前記有効期間の終了前に前記基地局から受信されたタイマーリセットメッセージに応答して、前記有効期間の残りの部分を増加させるように前記有効タイマーを変更することと
を含む方法。
【請求項４８】
コンピュータによって実行されると、前記コンピュータに、請求項４７の前記方法を実行させるコンピュータソフトウェア。
【請求項４９】
請求項４８に記載のコンピュータソフトウェアを記憶した機械可読非一時的記憶媒体。
【請求項５０】
ワイヤレス通信システムで使用するための基地局の動作の方法であって、
端末デバイスとのワイヤレス通信を行うことと、
通信パラメータを定義するシステム情報と、前記システム情報の少なくとも一部を共通に有する２つ以上の基地局のグループを示す識別データとを送信することであって、前記システム情報が、（ｉ）システム情報ブロックの完全なインスタンス、及び（ｉｉ）別の基地局に適用可能なシステム情報のインスタンスに関する差異情報を含む前記システム情報ブロックの部分的なインスタンスを送信することによって、複数のシステム情報ブロックを含む、ことと
を含む方法。
【請求項５１】
コンピュータによって実行されると、前記コンピュータに、請求項５０の前記方法を実行させるコンピュータソフトウェア。
【請求項５２】
請求項５１に記載のコンピュータソフトウェアを記憶した機械可読非一時的記憶媒体。
【請求項５３】
ワイヤレス通信システムで使用するための基地局の動作の方法であって、
端末デバイスとのワイヤレス通信を行うことと、
通信パラメータを定義するシステム情報を送信することであって、前記システム情報が複数のシステム情報ブロックを含む、ことと、
その基地局によって保持されたシステム情報について、その基地局によって維持される有効期間の残りの部分を増加させるよう端末デバイスに指示するためのタイマーリセットメッセージを送信することと
を含む方法。
【請求項５４】
コンピュータによって実行されると、前記コンピュータに、請求項５３の前記方法を実行させるコンピュータソフトウェア。
【請求項５５】
請求項５４に記載のコンピュータソフトウェアを記憶した機械可読非一時的記憶媒体。
【請求項５６】
ワイヤレス通信システムで使用するための基地局の動作の方法であって、
その基地局の通信パラメータを定義するシステム情報のセットを参照する基準データを送信することと、
前記参照されたシステム情報に従って端末デバイスとのワイヤレス通信を行うことと
を含む方法。
【請求項５７】
コンピュータによって実行されると、前記コンピュータに、請求項５６の前記方法を実行させるコンピュータソフトウェア。
【請求項５８】
請求項５７に記載のコンピュータソフトウェアを記憶した機械可読非一時的記憶媒体。
【発明の詳細な説明】
【技術分野】
【０００１】
本開示は、通信装置及び方法に関する。
【背景技術】
【０００２】
本明細書で提供される「背景技術」の記載は、本開示の文脈を一般的に提示するためのものである。この背景技術セクションに記載されている範囲で、現在の発明者の研究、ならびに、そうでない場合、出願時に従来技術として認められない可能性のある記載の態様は、本発明に対する従来技術として明示的又は暗黙的に認められない。
【０００３】
本開示は、ワイヤレス通信システム及び方法に関する。
【０００４】
モバイル通信システムは、ＧＳＭシステム（Global  System  for  Mobile  communications）から３Ｇシステムへ、過去１０年の間に進化し、現在、パケットデータ通信ならびに回線交換通信を含む。３ＧＰＰ（third  generation  partnership  project）は、ダウンリンクでは直交周波数分割多重（ＯＦＤＭ）に、アップリンクではシングルキャリア周波数分割多元接続（ＳＣ−ＦＤＭＡ）に基づく無線アクセスインターフェース、及び以前のモバイル無線ネットワークアーキテクチャの構成要素のマージに基づいてコアネットワーク部分がより単純化されたアーキテクチャを形成するように進化した、ＬＴＥ（Long  Term  Evolution）と呼ばれる第４世代モバイル通信システムを開発している。
【０００５】
３ＧＰＰで定義されたＵＭＴＳ並びにＬＴＥ（Long  Term  Evolution）アーキテクチャに基づくものなど、第３世代及び第４世代のモバイル通信システムは、以前の世代のモバイル通信システムによって提供された単純な音声及びメッセージングサービスよりも高度なサービス範囲をサポートすることができる。
【０００６】
例えば、ＬＴＥシステムによって提供される改善された無線インターフェース及び拡張データレートにより、ユーザは、以前は固定回線のデータ接続を介してのみ利用可能であったモバイルビデオストリーミング及びモバイルビデオ会議などの高データレートアプリケーションを楽しむことができる。したがって、第３世代及び第４世代のネットワークを展開する要求は強く、これらのネットワークのカバレージエリア、すなわちネットワークへのアクセスが可能な地理的場所は急速に増加すると予想される。
【０００７】
第３世代及び第４世代ネットワークの予想される広範な展開によって、使用可能な高データレートを利用する代わりに、頑強な無線インターフェースを利用するデバイス及びアプリケーションの類が並行して開発され、カバレージエリアの偏在性が高まった。例には、いわゆるマシンタイプ通信（ＭＴＣ）アプリケーションがあり、そのうちの一部は、いくつかの点で、比較的まれに少量のデータを通信する半自律型又は自律型のワイヤレス通信デバイス（ＭＴＣデバイス）に代表される。例には、例えば、顧客の家の中にあり、ガス、水、電気などのユーティリティの消費者の消費に関連するデータを中央のＭＴＣサーバに定期的に送信する、いわゆるスマートメータがある。スマートメータリングは、潜在的なＭＴＣデバイスアプリケーションの一例にすぎない。他の例には、車両通信システムがある（例えば、総称的に「Ｖ２Ｘ」構成と呼ばれる、車両間（「Ｖ２Ｖ」）、車−歩行者間（「Ｖ２Ｐ」）又は車両−インフラストラクチャ／ネットワーク間（「Ｖ２Ｉ／Ｎ」）システムなど。ＭＴＣタイプのデバイスの特性に関するさらなる情報は、ＥＴＳＩ  ＴＳ  １２２  ３６８  Ｖ１１．６．０（２０１２−０９）／３ＧＰＰ  ＴＳ  ２２．３６８  ｖｅｒｓｉｏｎ  １１．６．０  Ｒｅｌｅａｓｅ  １１など、対応する規格において見つけることができる）。
【０００８】
Ｖ２Ｘシステムを含むＭＴＣ構成では、いわゆるシステム情報の提供（基地局による）又は取得（端末デバイスによる）に技術的問題が生じる可能性がある。要約すると、ＬＴＥベースの通信システムのような既存のワイヤレス通信システムにおけるシステム情報、又はシステム情報の少なくともいくつかの態様がシステム情報ブロック（ＳＩＢ）として送信される。ＭＴＣデバイスなど、能力が低いデバイスでは、端末デバイスがセルと通信できるようにするために、ＳＩＢの受信が必要であり、これらのＳＩＢは、デバイスのデータ処理能力と比較して大きくなる可能性がある。これは、車両ベースのデバイスの文脈においても問題となる可能性があり、車両の動き（及び例えば路側機（ＲＳＵ）などによって定義される可能な小さいサイズのセル）は、特定のセル内の端末デバイスによって費やされる時間が短い可能性があることを意味する。同様に、カバレージ拡張の文脈において、端末デバイス（能力が低かろうとそうでなかろうと）が大きいＳＩＢを受信することは困難なことがある。したがって、ワイヤレス通信システムにおいて制限された周波数リソース上で動作する端末デバイスへシステム情報を通信することを可能にする方式が必要とされている。また、カバレージ拡張の状況で動作する端末デバイスへシステム情報を通信することを可能にする方式も必要である。
【発明の概要】
【発明が解決しようとする課題】
【０００９】
ワイヤレスネットワークシステムの動作及び効率を向上させることが一定の目的である。
【課題を解決するための手段】
【００１０】
本開示は、上述の問題に対処する、又は上述の問題を軽減することができる。
【００１１】
本開示のそれぞれの態様及び特徴は、添付の特許請求の範囲において規定される。
【００１２】
前述の一般的な説明及び以下の詳細な説明は両方とも例示的なものであって、本発明の技術を制限するものではないことを理解されたい。
【図面の簡単な説明】
【００１３】
以下の詳細な説明を添付の図面と併せ読むとよりよく理解されるので、本開示のより完全な理解、及びその付随する利点の多くは、容易に得られるであろう。図中、いくつかの図を通して同じ参照番号が同一又は対応する部分を示す。
【００１４】
【図１】ＬＴＥタイプのワイヤレス通信ネットワークの一例を概略的に表す図である。
【図２】ＬＴＥダウンリンク無線フレーム構造のいくつかの態様を概略的に表す図である。
【図３】ＬＴＥダウンリンク無線サブフレーム構造のいくつかの態様を概略的に表す図である。
【図４】基地局を概略的に示す図である。
【図５】端末デバイスを概略的に示す図である。
【図６】端末デバイスのコントローラを示す概略図である。
【図７】システム情報ストレージを概略的に示す図である。
【図８】端末デバイスの動作を示す概略フローチャートである。
【図９】基地局に関する動作を示す概略フローチャートである。
【図１０】端末デバイスの動作を示す概略フローチャートである。
【図１１】基地局の動作を示す概略フローチャートである。
【図１２】システム情報データ構造を概略的に示す図である。
【図１３】端末デバイスの動作を示す概略フローチャートである。
【図１４】端末デバイスの動作を示す概略フローチャートである。
【図１５】端末デバイスの動作を示す概要フローチャートである。
【図１６】基地局の動作を示す概要フローチャートである。
【図１７】基地局の動作を示す概要フローチャートである。
【図１８】端末デバイスの動作を示す概要フローチャートである。
【図１９】端末デバイスの動作を示す概要フローチャートである。
【図２０】端末デバイスの動作を示す概要フローチャートである。
【図２１】端末デバイスの動作を示す概要フローチャートである。
【図２２】基地局の動作を示す概要フローチャートである。
【図２３】基地局の動作を示す概要フローチャートである。
【図２４】基地局の動作を示す概要フローチャートである。
【発明を実施するための形態】
【００１５】
図１は、ＬＴＥ原理に従って動作するワイヤレス通信ネットワーク／システム１００の何らかの基本機能を示す概略図を提供する。図１の様々な要素及びそれらのそれぞれの動作モードは、よく知られており、３ＧＰＰ（ＲＴＭ）機関によって管理される関連する規格において定義されている。
【００１６】
ネットワーク１００は、コアネットワーク１０２に接続された複数の基地局１０１を含む。各基地局は、その中で端末デバイス１０４との間でデータを通信することができるカバレージエリア１０３（例えば、セル）を提供する。データは、無線ダウンリンクを介して基地局１０１からそれぞれのカバレージエリア１０３内の端末デバイス１０４へ送信される。データは、無線アップリンクを介して端末デバイス１０４から基地局１０１へ送信される。コアネットワーク１０２は、それぞれの基地局１０１を介して端末デバイス１０４との間でデータをルーディングし、認証、移動度管理、課金などの機能を提供する。端末デバイスは、移動局、ユーザ機器（ＵＥ）、ユーザ端末、移動無線などとも呼ばれ得る。基地局は、トランシーバ局／ノードＢ／ｅノードＢなどとも呼ばれ得る。
【００１７】
３ＧＰＰで定義されたＬＴＥ（Long  Term  Evolution）アーキテクチャに従って構成されたもの等のモバイル通信システムは、無線ダウンリンクのための直交周波数分割多重（ＯＦＤＭ）ベースのインターフェース（いわゆるＯＦＤＭＡ）及び無線アップリンクのためのシングルキャリア周波数分割多重ベースのインターフェース（いわゆるＳＣ−ＦＤＭＡ）を使用する。
【００１８】
図２は、ＯＦＤＭベースのＬＴＥダウンリンク無線フレーム２０１を示す概略図を示す。ＬＴＥダウンリンク無線フレームは、ＬＴＥ基地局（拡張ノードＢとして知られている）から送信され、１０ｍｓ持続する。ダウンリンク無線フレームは、１０個のサブフレームを含み、各サブフレームは１ｍｓ持続する。ＬＴＥフレームの第１及び第６のサブフレームで、プライマリ同期信号（ＰＳＳ）及びセカンダリ同期信号（ＳＳＳ）が送信される。物理ブロードキャストチャネル（ＰＢＣＨ）は、ＬＴＥフレームの第１のサブフレームで送信される。
【００１９】
図３は、例示的な従来のダウンリンクＬＴＥサブフレーム（この例では、図２のフレーム内の第１の、すなわち最も左のサブフレームに対応する）の構造を示すグリッドの概略図である。サブフレームは、１ｍｓの期間にわたって送信される所定の数のシンボルを含む。各シンボルは、ダウンリンク無線キャリアの帯域幅にわたって分散された所定の数の直交サブキャリアを含む。
【００２０】
図３に示されている例示的なサブフレームは、１４のシンボル、及び２０ＭＨｚの帯域幅にわたって広がる１２００のサブキャリアを含む。ＬＴＥにおける送信のためのユーザデータの最小の割振りは、１つのスロット（０．５サブフレーム）上で送信される１２のサブキャリアを含むリソースブロックである。明確にするために、図３では、各個々のリソース要素（リソース要素は単一のサブキャリア上に単一のシンボルを含む）は示されておらず、代わりにサブフレームグリッド内の各個々のボックスは１つのシンボル上で送信される１２のサブキャリアに対応する。
【００２１】
図３は、４つのＬＴＥ端末３４０、３４１、３４２、３４３についてのリソース割振りを示す。例えば、第１のＬＴＥ端末（ＵＥ１）のリソース割振り３４２は、１２のサブキャリアの５つのブロック（６０のサブキャリア）にわたり、第２のＬＴＥ端末（ＵＥ２）のリソース割振り３４３は、１２のサブキャリアの６つのブロックにわたるなど、以下同様である。
【００２２】
制御チャネルデータは、サブフレームの第１のｎ個のシンボルを含むサブフレームの制御領域３００（図３に点線の陰影で示す）で送信され、ここで、ｎは、３ＭＨｚ以上のチャネル帯域幅では１シンボルと３シンボルとの間で変化し、１．４ＭＨｚのチャネル帯域幅では２シンボルと４シンボルとの間で変化し得る。具体的な例を提供するために、以下の説明は、３ＭＨｚ以上のチャネル帯域幅を有するキャリアに関し、従って、ｎの最大値は３になる。制御領域３００において送信されるデータは、物理ダウンリンク制御チャネル（ＰＤＣＣＨ）、物理制御フォーマットインジケータチャネル（ＰＣＦＩＣＨ）、及び物理ＨＡＲＱインジケータチャネル（ＰＨＩＣＨ）上で送信されるデータを含む。
【００２３】
ＰＤＣＣＨは、サブフレームのシンボルが特定のＬＴＥ端末に割り振られたサブキャリアを示す制御データを含む。したがって、図３に示すサブフレームの制御領域３００で送信されたＰＤＣＣＨデータは、ＵＥ１に参照番号３４２によって識別されるリソースのブロックが割り振られ、ＵＥ２に参照番号３４３によって識別されるリソースのブロックが割り振られ、以下同様に割り振られることを示す。
【００２４】
ＰＣＦＩＣＨは、制御領域のサイズ（すなわち、１シンボルと３シンボルとの間）を示す制御データを含む。
【００２５】
ＰＨＩＣＨは、以前に送信されたアップリンクデータがネットワークによって正常に受信されたかどうかを示すＨＡＲＱ（Hybrid  Automatic  Request）データを含む。
【００２６】
時間−周波数リソースグリッドの中心帯３１０内のシンボルは、プライマリ同期信号（ＰＳＳ）、セカンダリ同期信号（ＳＳＳ）、及び物理ブロードキャストチャネル（ＰＢＣＨ）を含む情報の送信に使用される。この中心帯３１０は、典型的には７２のサブキャリア幅（１．０８ＭＨｚの送信帯域幅に対応する）である。ＰＳＳ及びＳＳＳは、一度検出されると、ＬＴＥ端末デバイスがフレーム同期を達成し、ダウンリンク信号を送信する拡張ノードＢのセル識別を決定することを可能にする同期信号である。ＰＢＣＨは、ＬＴＥ端末がセルに適切にアクセスするために使用するパラメータを含むマスター情報ブロック（ＭＩＢ）を含む、セルに関する情報を搬送する。物理ダウンリンク共有チャネル（ＰＤＳＣＨ）上で個々のＬＴＥ端末へ送信されるデータは、サブフレームの他のリソース要素で送信することができる。
【００２７】
図３は、システム情報を含み、Ｒ３４４の帯域幅にわたって延びるＰＤＳＣＨの領域も示す。
【００２８】
ＬＴＥフレームは、明瞭化のために図３には示されていない参照信号も含む。
【００２９】
図４は、基地局１０１をより詳細に概略的に示す。基地局１０１は、ワイヤレスアクセスインターフェースを介して（及びアンテナ４３０を介して）１つ以上の通信デバイス又はＵＥへ信号を送信するための送信機（Ｔｘ）４００と、基地局のカバレージエリア内の１つ以上の端末デバイスから信号を受信するための受信機（Ｒｘ）とを含む。コントローラ４２０は、ワイヤレスアクセスインターフェースを介して信号を送信及び受信するように送信機４００及び受信機４１０を制御する。送信機４００及び受信機４１０は共にトランシーバを形成する。コントローラ４２０は、ワイヤレスアクセスインターフェースの通信リソース要素の割振りを制御する機能を実行し、いくつかの例では、アップリンク及びダウンリンクの両方についてワイヤレスアクセスインターフェースを介して送信をスケジューリングするためのスケジューラを含み得る。以下の説明に関連して説明する基地局の動作は、少なくとも部分的にコントローラ４２０によって行われ、又は監視され得る。したがって、図４は、ワイヤレス通信システムで使用するための基地局の一例を提供し、基地局は、端末デバイスとのワイヤレス通信を行うように構成されたトランシーバ４００、４１０と、トランシーバを制御するように構成されたコントローラ４２０とを含む。
【００３０】
例において、図４の構成は、ワイヤレス通信システムで使用するための基地局を提供し、基地局は、端末デバイスとのワイヤレス通信を行うトランシーバ（例えば、４００、４１０）と、通信パラメータを定義するシステム情報と、システム情報の少なくとも一部を共通に有する２つ以上の基地局のグループを示す識別データ（後述するように、例えばエリアＩＤとして）とを送信するようにトランシーバを制御するためのコントローラ（例えば４２０）とを含む。
【００３１】
他の例では、各基地局がシステム情報（又はシステム情報のすべて）を送信する必要はない。代わりに、基地局は、隣接する基地局に対応するシステム情報など、端末デバイスがすでに保持している可能性があるシステム情報への参照を送信することができる（したがって、特に、路側機のアレイなど、スモールセルのシステムでは、少なくとも、端末デバイスがすでにシステム情報をダウンロードしている、又はそうでない場合、端末デバイスが間もなく完全なシステム情報を送信している基地局に対応するセルに移動するという良い機会がある）。この参照は、例えば、隣接するセルのエリアＩＤと同じであるエリアＩＤ（下記参照）とすることができる。あるいは、参照は、例えば、それがインジケータコードであることを示すためのプリアンブル、次いで、その基地局に関連して使用される、システム情報の可能なセット又はインスタンスのセットの中のある選択を示すデータ項目から形成されたインジケータコードとすることができる。あるいは、参照は、端末デバイスの最新の対話が地理的に隣接するセルとのものであることに基づいて、「現在保持しているどんなシステム情報でも（一部又は全部）再利用する」と言う単純なコードとすることができる。このような構成下で動作し、図４の基地局は、ワイヤレス通信システムで使用するための基地局の一例を提供し、基地局は、端末デバイスとのワイヤレス通信を行うトランシーバと、その基地局の通信パラメータを定義するシステム情報のセットを参照する基準データを送信するようにトランシーバを制御するためのコントローラであり、参照されたシステム情報に従ってワイヤレス通信を行うようにトランシーバを制御するように構成されたコントローラとを含む。
【００３２】
図４は、以下に示す原理及び詳細に従って動作するとき、ワイヤレス通信システムで使用するための基地局の一例を提供し、基地局は、端末デバイスとのワイヤレス通信を行うトランシーバと、通信パラメータを定義するシステム情報と、システム情報の少なくとも一部を共通に有する２つ以上の基地局のグループを示す識別データとを送信するようにトランシーバを制御するためのコントローラとを含み、システム情報は、複数のシステム情報ブロックを含み、コントローラは、（ｉ）システム情報ブロックの完全なインスタンス、及び（ｉｉ）別の基地局に適用可能なシステム情報のインスタンスに関する差異情報を含むシステム情報ブロックの部分的なインスタンスを送信するようにトランシーバを制御するように構成される。
【００３３】
図４は、以下に示す原理及び詳細に従って動作するとき、ワイヤレス通信システムで使用するための基地局の一例を提供し、基地局は、端末デバイスとのワイヤレス通信を行うトランシーバと、通信パラメータを定義するシステム情報を送信するようにトランシーバを制御するためのコントローラとを含み、システム情報は、複数のシステム情報ブロックを含み、コントローラは、その基地局によって保持されたシステム情報について、その基地局によって維持される有効期間の残りの部分を増加させるよう端末デバイスに指示するためのタイマーリセットメッセージを送信するようにトランシーバを制御するように構成される。
【００３４】
図４は、以下に示す原理及び詳細に従って動作するとき、ワイヤレス通信システムで使用するための基地局の一例を提供し、基地局は、端末デバイスとのワイヤレス通信を行うトランシーバと、その基地局の通信パラメータを定義するシステム情報のセットを参照する基準データを送信するようにトランシーバを制御するためのコントローラであり、参照されたシステム情報に従ってワイヤレス通信を行うようにトランシーバを制御するように構成されたコントローラとを含む。
【００３５】
図５は、端末デバイス１０４をより詳細に概略的に示す。端末デバイス１０４は、ワイヤレスアクセスインターフェースのアップリンク上で信号を基地局１０１へ送信するためのアンテナ５３０に関連する送信機５００と、ワイヤレスアクセスインターフェースを介してダウンリンク上で基地局１０１によって送信された信号を受信するための受信機５１０とを含む。送信機５００及び受信機５１０は、コントローラ５２０によって制御される。送信機５００及び受信機５１０は共にトランシーバを形成する。以下の説明に関連して説明される端末デバイスの動作は、少なくとも部分的にコントローラ５２０によって行われ、又は監視され得る。本開示のいくつかの例示的な実施形態では、端末デバイス１０４は、いわゆるＬＣ−ＭＴＣ（Low  Complexity  Machine  Type  Communication）端末デバイス又はＮＢ−ＩＯＴ（narrowband  internet-of-things）デバイスである。ＮＢ−ＩＯＴデバイスは、様々な電子及び他のアイテムをインターネットなどのネットワークに接続するために使用される。それらは、しばしば、低コストの製造及び配備、低複雑度、低電力消費などによって特徴付けられる。そのようなデバイスの一例は、スマート電力メータである。典型的なＮＢ−ＩＯＴの供給は、わずか１８０ｋＨｚの帯域幅など、低帯域幅を占めることが予想される。したがって、図５は、ワイヤレス通信システムで使用するための端末デバイスの一例を提供し、端末デバイスは、基地局とのワイヤレス通信を行うように構成されたトランシーバ５００、５１０と、トランシーバを制御するように構成されたコントローラ５２０とを含む。
【００３６】
今述べた基地局及び端末デバイスは、少なくとも部分的には、（各場合にコントローラとして動作するプロセッサデバイスなど）コンピュータによって実行されると、コンピュータに、説明した動作の方法を実行させるコンピュータソフトウェアによって実装することができる。そのようなコンピュータソフトウェアは、コンピュータソフトウェアを記憶する非一時的機械可読記憶媒体によって提供され得る。
【００３７】
図４の基地局及び図５の端末デバイスは、図１に示すような構成の文脈において、１つ以上のそのような端末デバイス及び１つ以上のそのような基地局を含む通信システムの一例を提供する。
【００３８】
図５は、以下に示す原理及び詳細に従って動作するとき、ワイヤレス通信システムで使用するための端末デバイスの一例を提供し、端末デバイスは、基地局とワイヤレス通信を行い、その基地局から受信されたシステム情報データから通信パラメータを定義するシステム情報を取得するためのトランシーバと、システム情報ストレージと、システム情報ストレージが新たに通信する基地局に適用可能なシステム情報の少なくとも一部をすでに保持しているかどうかを検出し、端末デバイスによってまだ保持されていないシステム情報の任意の部分を取得するようにトランシーバを制御するためのコントローラと、を含み、システム情報は、複数のシステム情報ブロックを含み、コントローラは、新たに通信する基地局に適用可能なシステム情報ストレージによって記憶されるシステム情報ブロックの一部を検出し、新たに通信する基地局からそのシステム情報ブロックの他の部分を部分的なシステム情報ブロックとして取得するように構成されている。
【００３９】
図５は、以下に示す原理及び詳細に従って動作するとき、ワイヤレス通信システムで使用するための端末デバイスの一例を提供し、端末デバイスは、基地局とワイヤレス通信を行い、複数の情報ブロックを含むシステム情報データから通信パラメータを定義するシステム情報を取得するためのトランシーバと、システム情報ストレージと、システム情報ストレージが新たに通信する基地局に適用可能なシステム情報の少なくとも一部をすでに保持しているかどうかを検出し、端末デバイスによってまだ保持されていないシステム情報の任意の部分を新たに通信する基地局から取得するようにトランシーバを制御するためのコントローラと、を含み、コントローラは、新たに通信する基地局によって送信された情報ブロックに関連する識別データが、システム情報ストレージによって記憶された情報ブロックに関連する識別データに対応するかどうかを検出するように構成され、識別データは、基地局のグループを識別するエリア情報と、１つ以上の情報ブロックのバージョンを識別する値タグとを含む。
【００４０】
図５は、以下に示す原理及び詳細に従って動作するとき、ワイヤレス通信システムで使用するための端末デバイスの一例を提供し、端末デバイスは、基地局とワイヤレス通信を行い、その基地局によって送信されたシステム情報データから通信パラメータを定義するシステム情報を取得するためのトランシーバと、システム情報と、システム情報のそれぞれの部分のバージョンを識別する１つ以上の関連する値タグとを記憶するように構成されたシステム情報ストレージと、システム情報ストレージが新たに通信する基地局に適用可能なシステム情報の少なくとも一部をすでに保持しているかどうかを検出し、基地局から端末デバイスによってまだ保持されていないシステム情報の任意の部分を取得するようにトランシーバを制御するためのコントローラと、を含み、コントローラは、更新されたシステム情報を取得する旨の命令を検出し、命令の検出に応答して、システム情報ストレージによって保持される対応する値タグとは異なる部分のバージョンを示す値タグを有するシステム情報の部分のみの更新バージョンを基地局から取得するように構成される。
【００４１】
図５は、以下に示す原理及び詳細に従って動作するとき、ワイヤレス通信システムで使用するための端末デバイスの一例を提供し、端末デバイスは、基地局とワイヤレス通信を行い、その基地局によって送信されたシステム情報データから通信パラメータを定義するシステム情報を取得するためのトランシーバと、システム情報ストレージと、システム情報ストレージが新たに通信する基地局に適用可能なシステム情報の少なくとも一部をすでに保持しているかどうかを検出し、基地局から端末デバイスによってまだ保持されていないシステム情報の任意の部分を取得するようにトランシーバを制御するためのコントローラと、を含み、コントローラは、システム情報の有効期間を示す有効タイマーを維持し、有効期間の終了に応答して、更新されたシステム情報を基地局から取得するように構成され、コントローラは、有効期間の終了前に基地局から受信されたタイマーリセットメッセージに応答して、有効期間の残りの部分を増加させるように有効タイマーを変更する。
【００４２】
図６は、図５のコントローラ５２０など、端末デバイスのコントローラを示す概略図である。
【００４３】
上記で説明したように、コントローラは、トランシーバ（図６には図示せず）の動作を制御するように接続されている。コントローラは、検出器６００と、比較器６１０と、システム情報ストア６２０と、動作コントローラ６３０とを含む。検出器６００は、新たに取得された（新たに通信する）基地局に関して、基地局によって送信された（例えば、ブロードキャストされた、他の例では、通信の少なくとも一部を端末デバイスに向けることができる）いわゆるシステム情報を検出するように構成される。これは、端末デバイスが基地局との通信を確立する構成の一部である。システム情報は、そのような通信のために端末デバイスによって必要とされる様々な通信パラメータを提供する。
【００４４】
検出器は、第１段階で、いわゆるマスター情報ブロック（ＭＩＢ）を検出する。ＭＩＢは、端末デバイスが基地局とのダウンリンク同期を達成した後に取得する最初の情報である。ＭＩＢは、端末デバイスがその基地局に関する他の情報を取得するために必要な基本情報を提供する。
【００４５】
ＭＩＢは、４０ｍｓの周期を有する固定スケジュールに従って送信され、４０ｍｓの期間内に複数の繰り返しが行われる。いくつかの例では、ＭＩＢは４０ｍｓの期間で変化し得るが、その期間内に１０ｍｓごとに基地局によって送信される。ＭＩＢは、端末デバイスがシステム情報ブロック（ＳＩＢ）のセットのうちの最初のものをどのように受信できるかに関する情報を含み、特にＭＩＢは、第１のシステム情報ブロック（ＳＩＢ１）をどのように受信するかに関する情報を提供するので、最初に検出される。例えば、それは、ＳＩＢ１のブロードキャストに関するスケジューリング情報を指し得る。
【００４６】
次に、システム情報ブロックＳＩＢ１は、他のＳＩＢのセルアクセス情報及びスケジューリングを含む。例示的な実施形態における様々なシステム情報ブロックの内容について、以下の説明で提供される。
【００４７】
マスター情報ブロック（ＭＩＢ）
上述したように、これは、新たに取得された（新たに通信する）セルとのダウンロード同期を確立した後に端末デバイスがダウンロードしようとする最初の情報である。ダウンロードチャネルを定義する基本的なパラメータを含み、ＳＩＢ１の受信に必要な情報を含む。
【００４８】
ＳｙｓｔｅｍｌｎｆｏｒｍａｔｉｏｎＢｌｏｃｋＴｙｐｅ１
これは、端末デバイスのセルアクセスに関する情報を含み、他のＳＩＢのスケジュールを定義する。したがって、他のＳＩＢが取得される前に必要である。
【００４９】
ＳｙｓｔｅｍｌｎｆｏｒｍａｔｉｏｎＢｌｏｃｋＴｙｐｅ２
ＳｙｓｔｅｍＩｎｆｏｒｍａｔｉｏｎＢｌｏｃｋＴｙｐｅ２は、すべての端末デバイスに共通する無線リソース構成情報を含む。
【００５０】
ＳｙｓｔｅｍｌｎｆｏｒｍａｔｉｏｎＢｌｏｃｋＴｙｐｅ３
ＳｙｓｔｅｍＩｎｆｏｒｍａｔｉｏｎＢｌｏｃｋＴｙｐｅ３は、周波数内、周波数間、及び／又はＲＡＴ間のセル再選択について共通のセル再選択情報を含む。
【００５１】
ＳｙｓｔｅｍｌｎｆｏｒｍａｔｉｏｎＢｌｏｃｋＴｙｐｅ４
ＳｙｓｔｅｍＩｎｆｏｒｍａｔｉｏｎＢｌｏｃｋＴｙｐｅ４は、周波数内セル再選択にのみ関連する隣接セル関連情報を含む。ＩＥは、特定の再選択パラメータを含むセル及びブラックリストに載っているセルを含む。
【００５２】
ＳｙｓｔｅｍｌｎｆｏｒｍａｔｉｏｎＢｌｏｃｋＴｙｐｅ５
ＳｙｓｔｅｍＩｎｆｏｒｍａｔｉｏｎＢｌｏｃｋＴｙｐｅ５は、周波数間セル再選択のみに関連する情報、すなわち、他のＥ−ＵＴＲＡ周波数及びセル再選択に関連する周波数間隣接セルに関する情報を含む。ＩＥは、周波数について共通のセル再選択パラメータ、及びセル固有の再選択パラメータを含む。
【００５３】
他のＳＩＢ
同様の概念をさらなるＳＩＢに適用することができる。上記に記載したものはＮＢ−ＩＯＴにとって必須のものであるが、ｖ２ｘの場合、さらなるＳＩＢ（例えば、ＲＡＴ間モビリティでのＳＩＢ６）が存在し得る。
【００５４】
言い換えれば、例において、システム情報は、端末デバイスがシステム情報ブロックを取得する前に端末デバイスによって取得されたマスター情報ブロックを含み、システム情報ブロックは、一連の第１のシステム情報ブロックと、１つ以上のさらなるシステム情報ブロックとを含み、マスター情報ブロックは、第１のシステム情報ブロックの受信のための１つ以上のパラメータを提供し、第１のシステム情報ブロックは、１つ以上のさらなるシステム情報ブロックの受信のための１つ以上のパラメータを提供する。
【００５５】
基地局から受信されたシステム情報は、（ｉ）その基地局との通信のための通信パラメータ、及び（ｉｉ）デバイス間通信動作において、その基地局から受信された通信パラメータの制御下で動作する他の端末デバイスと通信するための通信パラメータのうちの１つ又は両方を定義することができる。
【００５６】
例では、基地局から受信されたシステム情報データは、例えば図３に関連して上述した機構を使用して、基地局によってブロードキャストされたシステム情報データとすることができる。
【００５７】
したがって、再利用可能な記憶されたシステム情報がない場合、検出器６００の通常動作は、最初にＭＩＢを検出し、次いでＭＩＢからの情報を使用してＳＩＢ１を検出し、次いでＳＩＢ１からの情報を使用して残りのＳＩＢを検出することである。
【００５８】
本開示の例示的な実施形態では、ＭＩＢ及び／又はＳＩＢ１は、以前に記憶されたシステム情報が新たに通信する基地局について再利用可能であるかどうかを検出するために使用することができる識別情報と関連付けられる。例えば、ＭＩＢ及び／又はＳＩＢ１は、識別情報（以下で説明するエリアＩＤなど）を含み得る。あるいは、識別情報は、そうでなければ（セル識別子又は物理セル識別子（ＰＣＩ）など）基地局に関連する識別情報であってもよい。
【００５９】
比較器６１０は、ＭＩＢ又はＳＩＢ１からの識別情報を、システム情報ストア６２０に記憶されたシステム情報に適用可能な識別情報と比較する。識別情報の比較が、システム情報ストア６２０に記憶されたシステム情報の一部又は全部が新たに通信する基地局に関して使用可能であることを示す場合、比較器６１０は、システム情報ストアから再利用されているシステム情報のそれらの部分を取得しないように検出器６００に指示する。いくつかの例では、システム情報の完全なセットをシステム情報ストア６２０から再利用可能であり得る。他の例では、ＳＩＢのサブセットを再利用することができる。他の例では、一部のＳＩＢの内容の一部を再利用することができ、システム情報ストア６２０から使用されているＳＩＢのいくつかの側面に対する変更を示す異なる情報が、代わりに検出器６００によって取得される。
【００６０】
プロセスの最後に、そのプロセスが、検出器６００が新しいシステム情報の完全なセットを取得することを伴うか、又は再利用される記憶されたシステム情報の一部を取得することを伴うかにかかわらず、システム情報ストア６００は、現在、新たに通信する基地局に適用可能なシステム情報の完全なセットを含む。このシステム情報は、その基地局に関して端末デバイスの動作を制御するために動作コントローラ６３０によって使用される。
【００６１】
したがって、図６は（図５と共に）、ワイヤレス通信システムで使用するための端末デバイスの一例を提供し、端末デバイスは、基地局とワイヤレス通信を行い、（例えば６００）その基地局から受信されたシステム情報データから通信パラメータを定義するシステム情報を取得するためのトランシーバ（５００、５１０など）と、システム情報ストレージ（例えば、６２０）と、システム情報ストレージが新たに通信する基地局に適用可能なシステム情報の少なくとも一部をすでに保持しているかどうかを検出し、端末デバイスによってまだ保持されていないシステム情報の任意の部分を取得するようにトランシーバを制御するためのコントローラ（図６に示す５２０の他の機能など）と、を含む。
【００６２】
図６において、コントローラは、新たに通信する基地局から受信されたシステム情報に関連する識別データが、システム情報ストレージ（６２０）によって記憶されたシステム情報に関連する識別データに対応するかどうかを検出する（６１０）ように構成される。
【００６３】
図７は、例えばシステム情報ストア６２０によるシステム情報ストレージを概略的に示す。
【００６４】
いくつかの例では、システム情報ストア６２０は、１組のシステム情報のみを記憶するように構成される。これは、直近にアクセスされた基地局からのシステム情報であってもよく、「エリア識別子」を使用するものなど、いくつかの例では、これは、新たに通信する基地局に適用可能である。しかし、他の実施形態では、システム情報ストア６２０は、複数のセットのシステム情報を記憶することができ、そのような例が図７に示されている。ここで、システム情報の各セット７００、７１０、７２０は、それに関連する１つ以上の識別子７３０、７４０、７５０を有する。システム情報７００、７１０、７２０の一部又は全部が再利用可能であるかどうかを検出するために、識別子を、新たに通信する基地局に適用可能な識別情報と比較することができる。
【００６５】
したがって、図７は、システム情報（７００、７１０、７２０）の２つ以上のインスタンスを記憶するように構成されたシステム情報ストレージ６２０の一例を提供し、各インスタンスは１つ以上のそれぞれの基地局に対応する。インスタンスは、例えば、端末デバイスによって直近に取得されたシステム情報の２つ以上の別個のインスタンスとすることができる。１つ以上のインスタンスは、システム情報のすべてではなく一部を表し得る。これを処理する構成については、図１４を参照して以下で説明する。
【００６６】
上記で説明したように、例では、システム情報は、複数のシステム情報ブロックを含み、コントローラは、システム情報ストレージによって記憶されたシステム情報が、新たに通信する基地局に適用可能なシステム情報ブロックの一部又は全部を表すシステム情報を提供するかどうかを検出するように構成される。
【００６７】
図８は、端末デバイスの動作を示す概略フローチャートである。
【００６８】
ステップ８００において、デバイスは、電源が投入され、基地局又はセルを選択する。ステップ８１０において、端末デバイスは、選択された基地局のシステム情報及び識別子を取得し、記憶する。次いで、選択されたセルとの通信を伴う動作を行う。
【００６９】
ここで、端末デバイスが移動され（その物理的位置が変わり）、ステップ８２０で、新しい基地局又はセルとの通信を確立すると仮定する。ステップ８３０で、端末デバイスは、（例えば、ＭＩＢ又はＳＩＢ１ブロックの一部として）新しいセルから識別子情報を受信する。次いで、ステップ８４０において、比較器６１０は、受信されたＩＤが、ステップ８１０で取得された、記憶されたシステム情報に関連するＩＤと一致するかどうかを検出する。答えが肯定である場合、ステップ８６０において、端末デバイスは、基地局からシステム情報のさらなるセットを取得するのではなく、単に記憶された情報を使用するだけである。答えが否定である場合、ステップ８５０（ステップ８１０と同様）で、端末デバイスは、ステップ８３０で受信されたシステム情報及びＩＤを取得し、記憶する。
【００７０】
上記で説明したように、ステップ８５０、８６０の混成は、記憶された情報及びＩＤが、記憶されたシステム情報の全部ではなく一部が再利用され得ることを示す場合に使用され得る。例えば、コントローラは、新たに通信する基地局に適用可能なシステム情報ストレージによって記憶されるシステム情報ブロックの一部を検出し、新たに通信する基地局からそのシステム情報ブロックの他の部分を取得するように構成することができる。一例として、システム情報ストアによって記憶されたシステム情報に対応する識別データを搬送する第１のシステム情報ブロックの受信に応答して、コントローラは、さらなるシステム情報ブロックを受信しないようにトランシーバを制御するように構成される。
【００７１】
いくつかの例では、システム情報ストア６２０は、識別データとして、記憶されたシステム情報のインスタンスの少なくともそれぞれの部分に適用可能な１つ以上の基地局識別子のセットを記憶するように構成される。例えば、識別子は、可能な情報ブロックコンテンツのセットの中の、選択を示すいわゆる値タグ又は情報ブロックタグであってもよく、したがって、すでに記憶された情報ブロックが特定の情報ブロックタグを有し、（例えば）ＳＩＢ１は、まだブロードキャストされるべきさらなるＳＩＢの情報ブロックタグを示す場合、端末デバイスは、情報ブロックタグが対応する記憶された情報ブロックの情報ブロックスタッグと一致するいかなる更なる情報ブロックも受信しようとしないことを選択することができる。他の例では、ストア６２０は、記憶された情報の一部又は全部が使用されるセル識別子及び／又はパブリックランドモバイルネットワーク識別子及び／又はトラッキングエリア識別子を記憶することができる。したがって、例では、識別子はセル識別子、エリア識別子、情報ブロックタグ、トラッキングエリア識別子、及び／又はパブリックランドモバイルネットワーク識別子とすることができる。
【００７２】
ステップ８００、８１０の手順を、端末デバイスが、使用の間、例えば不揮発性メモリ内に直近に取得されたシステム情報を保持する、又は端末デバイスにシステム情報のセットがプリロードされるプロセスに置き換えることができることにも留意されたい。
【００７３】
いくつかの例では、地理的に近くにある基地局は、システム情報の少なくとも一部を共有しているので、端末デバイスが１つのそのような基地局から別の基地局に移動する場合、システム情報を再度取得する必要はない、又はシステム情報を取得する必要性が低減する。これを達成できる１つの方法は、いわゆるエリア識別子（エリアＩＤ）の使用によるものである。エリアＩＤは、ＭＩＢの一部として、ＳＩＢ１の一部として、ＳＩＢ１の送信の前に送信される別の小さいＳＩＢの一部としてなど、基地局によって送信することができる。このタイプの構成の一例が図９に示されており、図９には基地局のグループ又は一群に関する動作が示されている。これらの動作は、ステップ９００において、エリアＩＤを設定し、ステップ９１０で、セル又は基地局（地理的に近くに位置する基地局のグループなど）をエリアＩＤに関連付け、ステップ９２０で、システム情報のすべて、又はそのエリアＩＤに関連するすべての基地局に共通のシステム情報の選択された部分のいずれかのシステム情報の共通セットを確立することを含むことができる。システム情報の共通セットを、システム構成におけるコアネットワーク１０２の制御チャネルを介してエリアＩＤを共有する各基地局に渡すことができる。
【００７４】
ステップ９２０の効果は、そのエリアＩＤを有する基地局の各々が、共通のシステム情報によって定義される通信パラメータに従って動作することである。また、上記で説明したように、エリアＩＤは、既存のブロックのうちの１つの基地局によって、又はＳＩＢ１の前に送信されるＳＩＢなど別個のＳＩＢとして送信される。
【００７５】
図１に示した基地局の群又はセットの文脈において、図９の構成が適用される場合、これは、２つ以上の基地局のセットの一例を提供し、識別データ（エリアＩＤなど）及びシステム情報の少なくとも一部は、２つ以上の基地局のセットの間で共通である。
【００７６】
図９の構成は、エリアＩＤを共有するすべての基地局が、それらのシステム情報のすべてを共通に有する場合に使用することができる。別の例では、個々の基地局が共通コアシステム情報に関して差異をブロードキャストする可能性がある、（例えば、エリアＩＤを共有する基地局の中で）システム情報の共通コアセットが定義される。これを達成するための技法の一例として、図１０は端末デバイスによって実行されるステップを示し、図１１は基地局によって実行されるステップを示す。
【００７７】
図１０は、端末デバイスが、以前のダウンロード又はプリロードされた情報のいずれかとして、システム情報の共通コアセットをすでに記憶していることを前提としている。そうでない場合、第１の動作（図１０には示されていないが、図８のステップ８００、８１０と同様）では、第１の基地局がアクセスしたブロードキャスト情報から共通コアシステム情報が取得される。次いで、ステップ１０００において、端末デバイスは、個々の基地局のエリアＩＤを検出し、そのエリアＩＤに関して定義された共通コアシステム情報とその基地局に対応する特定のシステム情報との間の差を定義するステップ１０１０において、差分データを受信する。
【００７８】
図１１において、ステップ１１００で、複数の基地局に適用して、上記で説明したようにシステム情報の共通コアセットが定義される。個々の基地局は、ステップ１１１０において、共通のシステム情報に関する任意の差分を定義する。次いで、繰り返し又は循環ベースで、個々の基地局は、ステップ１１２０で差分データを送信し、時々、ステップ１１３０で共通のシステム情報の完全セットを送信する。これは、コントローラが、（ｉ）システム情報の完全なインスタンス、及び（ｉｉ）別の基地局に適用可能なシステム情報のインスタンスに関する差異情報を含むシステム情報の部分的なインスタンスを送信するようにトランシーバを制御するように構成される、基地局の一例である。
【００７９】
図１２は、ＭＩＢ１２００がＳＩＢ１  １２１０へのポインタを含み、ＳＩＢ１  １２１０が後続のＳＩＢ１２２０へのポインタを含む、図１０及び図１１の構成に適用可能なシステム情報のデータ構造を概略的に示す。エリアＩＤ情報は、ＭＩＢ（１２０５）及び／又はＳＩＢ１（１２１５）において提供される。ＳＩＢの少なくともいくつか（後続のＳＩＢ１２２０など）は、現在その情報のコピーを保持していない端末デバイスによってダウンロードされる共通コアシステム情報と考えられる。しかし、共通コア情報のコピーを保持する端末デバイスの場合、ＭＩＢ及び／又はＳＩＢ１ブロックは、図１０のステップ１０１０で端末デバイスによって受信される１つ以上の差分ＳＩＢ１２３０（もしあれば、コア情報との差を定義する）をどのように受信するかを示す受信情報を提供する。
【００８０】
図１２の構成は、（例えば、図３に示されるフォーマットを使用して）基地局によって送信されると、基地局によって送信されるワイヤレスデータ信号の一例を提供し、ワイヤレスデータ信号は、システム情報の少なくとも一部を共通に有する２つ以上の基地局のグループを示す通信パラメータ及び識別データ（例えば、１２０５、１２１５）を定義するシステム情報を含む。
【００８１】
例えば、識別情報（エリアＩＤなど）は、マスター情報ブロック及び第１のシステム情報ブロックの一方又は両方によって多く搬送され得る。
【００８２】
本開示の実施形態は、基地局によって送信されるワイヤレスデータ信号の他の同様の例を提供し、ワイヤレスデータ信号は、通信パラメータを定義するシステム情報ブロックと、システム情報の少なくとも一部を共通に有する２つ以上の基地局のグループを示す識別データとを含み、システム情報ブロックは、（ｉ）システム情報ブロックの完全なインスタンス、及び（ｉｉ）別の基地局に適用可能なシステム情報のインスタンスに関する差異情報を含むシステム情報ブロックの部分的なインスタンスを含み、他の例として、ワイヤレスデータ信号が基地局によって送信され、ワイヤレスデータ信号は、通信パラメータを定義するシステム情報ブロックと、時々、その基地局によって保持されたシステム情報について、その基地局によって維持される有効期間の残りの部分を増加させるよう端末デバイスに指示するためのタイマーリセットメッセージとを含む。
【００８３】
図１３は、ステップ１３００において、端末デバイスがＭＩＢ及び／又はＳＩＢ１を検出し、これらのブロックに含まれる情報に基づいて、ステップ１３１０において、差分ＳＩＢ１２３０を検出する、図１２の構成における端末デバイスの動作を示す概略フローチャートである。ステップ１３２０において、端末デバイスは、エリアＩＤと共に差分を記憶する。
【００８４】
図１４は、システム情報ストア６２０によって提供されるストレージを管理するための端末デバイスの動作を示す概略フローチャートである。
【００８５】
ステップ１４００において、端末デバイスは、システム情報ストレージ６２０に現在保持されていないシステム情報に関するシステム情報ブロックを受信する。ステップ１４１０で、端末デバイスは、新たに受信されたシステム情報を記憶するために、システム情報ストレージ６２０内の記憶空間が利用可能であるかどうかを検出する。答えが肯定である場合、ステップ１４２０において、新たに受信されたシステム情報及び関連のＩＤ情報が記憶される。しかし、答えが否定である場合、ステップ１４３０において、システム情報ストア６２０内の最低使用頻度（ＬＲＵ）のシステム情報データが削除され、ステップ１４４０で、新たに受信されたシステム情報がそのＩＤと共に記憶される。
【００８６】
図１５は、基地局とのワイヤレス通信を行い、通信パラメータを定義するシステム情報を、その基地局及びシステム情報ストレージから受信されたシステム情報データから取得するためのトランシーバを有する、ワイヤレス通信システムで使用するための端末デバイスの動作の方法の概要を提供するフローチャートであり、方法は、
（ステップ１５００で）システム情報ストレージが、新たに通信する基地局に適用可能なシステム情報の少なくとも一部をすでに保持しているかどうかを検出することと、
（ステップ１５１０で）端末デバイスによってまだ保持されていないシステム情報の任意の部分を取得するようにトランシーバを制御することと
を含む。
【００８７】
図１６は、端末デバイスとのワイヤレス通信を行うトランシーバを有する、ワイヤレス通信システムで使用するための基地局の動作の方法の概要を提供するフローチャートであり、方法は、
（ステップ１６００で）通信パラメータを定義するシステム情報と、システム情報の少なくとも一部を共通に有する２つ以上の基地局のグループを示す識別データとを送信するようにトランシーバを制御すること
を含む。
【００８８】
図１７は、端末デバイスとのワイヤレス通信を行うトランシーバを有する、ワイヤレス通信システムで使用するための基地局の動作の方法の概要を提供するフローチャートであり、方法は、
ステップ１７００で、その基地局の通信パラメータを定義するシステム情報のセットを参照する基準データを送信するようにトランシーバを制御することと、
ステップ１７１０で、参照されたシステム情報に従ってワイヤレス通信を行うようにトランシーバを制御することと
を含む。
【００８９】
次に、図４の基地局及び／又は図５の端末デバイスの動作のさらなるそれぞれの例について説明する。一例として、動作は、例えば（必ずしも必要ではないが）ソフトウェア、ファームウェア又は他のプログラム制御下で、それぞれのコントローラ４２０、５２０によって実行することができる。
【００９０】
図１８は、ワイヤレス通信システムで使用するための端末デバイスの動作の方法の概略フローチャートであり、方法は、
（ステップ１８００で）基地局から受信されたシステム情報データから通信パラメータを定義するシステム情報を取得することであって、システム情報は、複数のシステム情報ブロックを含む、ことと、
（ステップ１８１０で）システム情報を記憶することと、
（ステップ１８２０で）新たに通信する基地局に適用可能なシステム情報の少なくとも一部をシステム情報ストレージがすでに保持しているかどうかを検出することと、
（ステップ１８３０で）新たに通信する基地局に適用可能な記憶されたシステム情報ブロックの部分を検出することによってまだ記憶されていないシステム情報の任意の部分を取得することと、
（ステップ１８４０で）そのシステム情報ブロックの他の部分を、新たに通信する基地局からの部分的なシステム情報ブロック（上述の差分ＳＩＢ１２３０など）として取得することと
を含む。
【００９１】
この構成は、１つ以上の部分的な情報ブロックが基地局から取得される、図１２及び図１３を参照して上述した技法に関する。次いで、部分的な情報ブロックの内容が、すでに記憶された情報を置換又は補足するために（例えば、上述のステップ１３２０で）使用される。
【００９２】
図１９は、ワイヤレス通信システムで使用するための端末デバイスの動作の方法の概略フローチャートであり、方法は、
（ステップ１９００で）複数の情報ブロックを含むシステム情報データから通信パラメータを定義するシステム情報を取得することと、
（ステップ１９１０で）システム情報を記憶することと、
（ステップ１９２０で）新たに通信する基地局に適用可能なシステム情報の少なくとも一部をシステム情報ストレージがすでに保持しているかどうかを検出することと、
（ステップ１９３０で）新たに通信する基地局から、まだ記憶されていないシステム情報の任意の部分を取得することと、
（ステップ１９４０で）新たに通信する基地局によって送信された情報ブロックに関連する識別データが、記憶された情報ブロックに関連する識別データに対応するかどうかを検出することと
を含み、識別データは、基地局のグループを識別するエリア情報と、１つ以上の情報ブロックのバージョンを識別する値タグとを含む。
【００９３】
この例では、情報ブロックタグ又は値タグが各ＭＩＢ及びＳＩＢに関連付けられ、対応するＭＩＢ又はＳＩＢと共にストア６２０に記憶される。エリアＩＤは、値タグの（基地局のグループとして）有効性のエリアを示す。値タグは、いくつかの例では、対応するブロックのバージョン番号又は参照を示すことができる。新しい基地局に移動すると、端末デバイスのコントローラは、その記憶されたＭＩＢ及びＳＩＢの値タグ及びエリアＩＤを、新しい基地局によって提供される対応するブロックのものと比較し、エリアＩＤと値タグの両方の一致を有さないブロックのみを取得する。
【００９４】
例えば、エリア情報によって識別される基地局のグループは、値タグが適用可能な基地局を識別する。
【００９５】
例では、それぞれの値タグが、マスター情報ブロック、第１のシステム情報ブロック、及びさらなるシステム情報ブロックの各々に関連付けられる。
【００９６】
図２０は、ワイヤレス通信システムで使用するための端末デバイスの動作の方法の概略フローチャートであり、方法は、
（ステップ２０００で）基地局によって送信されたシステム情報データから通信パラメータを定義するシステム情報を取得することと、
（ステップ２０１０で）システム情報と、システム情報のそれぞれの部分のバージョンを識別する１つ以上の関連する値タグとを記憶することと、
（ステップ２０２０で）新たに通信する基地局に適用可能なシステム情報の少なくとも一部をシステム情報ストレージがすでに保持しているかどうかを検出することと、
（ステップ２０３０で）端末デバイスによってまだ保持されていないシステム情報の任意の部分を基地局から取得することと、
（ステップ２０４０で）更新されたシステム情報を取得する旨の命令を検出することと、
（ステップ２０５０で）命令の検出に応答して、対応する記憶された値タグとは異なる部分のバージョンを示す値タグを有するシステム情報の部分のみの更新バージョンを基地局から取得することと
を含む。
【００９７】
ここで、端末デバイスのコントローラは、記憶されたＭＩＢ又はＳＩＢに関連する値タグ情報を使用して、新たに通信する基地局によって提供される対応するブロックのものと一致する値タグ（オプションで、及び上述したようなエリアＩＤ）を有する、以前に取得された任意のＭＩＢ又はＳＩＢを再利用することができる。例では、値タグは、対応するブロックのバージョン番号又は参照を示し得る。
【００９８】
例では、命令は、基地局から受信されたページング命令である。
【００９９】
例では、命令は、マスター情報ブロック又は第１のシステム情報ブロックに含まれる。
【０１００】
例では、コントローラは、システム情報の有効期間を示す有効タイマーを維持するように構成され、命令は、有効期間の終了に応答して検出される。例えば、コントローラは、有効期間の終了前に基地局から受信されたタイマーリセットメッセージに応答して、有効期間の残りの部分を増加させるように有効タイマーを変更することができる。例では、コントローラは、タイマーリセットメッセージに応答して、十分な有効期間が残っていることを示すために有効タイマーをリセットする。例では、タイマーリセットメッセージは、基地局から受信されたページングメッセージである。
【０１０１】
図２１は、ワイヤレス通信システムで使用するための端末デバイスの動作の方法の概略フローチャートであり、方法は、
（ステップ２１００で）基地局によって送信されたシステム情報データから通信パラメータを定義するシステム情報を取得することと、
（ステップ２１１０で）システム情報を記憶することと、
（ステップ２１２０で）新たに通信する基地局に適用可能なシステム情報の少なくとも一部をシステム情報ストレージがすでに保持しているかどうかを検出することと、
（ステップ２１３０で）端末デバイスによってまだ記憶されていないシステム情報の任意の部分を基地局から取得することと、
（ステップ２１４０で）システム情報の有効期間を示す有効タイマーを維持することと、
有効期間の終了に応答して、（ステップ２１５０で）更新されたシステム情報を基地局から取得することと、
有効期間の終了前に基地局から受信されたタイマーリセットメッセージに応答して、（ステップ２１６０で）有効期間の残りの部分を増加させるように有効タイマーを変更することと
を含む。
【０１０２】
この例では、端末デバイスは、システム情報の有効期間に向かう時間を示すタイマーを（例えば、コントローラを使用して）維持する。有効期間の一例は３時間である。有効期間の終了に達すると、端末デバイスは、基地局から交換システム情報を取得する。低電力デバイスの場合、特にブロックが実際には変更されていない場合、これは不必要及び／又は不適切である可能性がある。したがって、この技法は、基地局が、そのシステム情報を更新する必要がないというメッセージ又は命令を端末デバイスに送信することを可能にする。
【０１０３】
例では、変更ステップにおいて、タイマーリセットメッセージは、十分な有効期間が残っていることを示すために有効タイマーをリセットする。
【０１０４】
例では、タイマーリセットメッセージは、基地局から受信されたページングメッセージである。
【０１０５】
例では、タイマーリセットメッセージは、基地局から受信された第１のシステム情報メッセージに含まれ、有効タイマーへの変更は、１つ以上のさらなるシステム情報メッセージに適用される。
【０１０６】
他の例では、コントローラは、システム情報ストレージがそのメッセージに対応するシステム情報をすでに保持しているかどうかをコントローラが検出する基地局から受信された第１のシステム情報メッセージからタイマーリセットメッセージを推定するように構成され、有効タイマーへの変更は、１つ以上のさらなるシステム情報メッセージに適用される。
【０１０７】
図２２は、ワイヤレス通信システムで使用するための基地局の動作の方法の概略フローチャートであり、方法は、
（ステップ２２００で）端末デバイスとのワイヤレス通信を行うことと、
（ステップ２２１０で）通信パラメータを定義するシステム情報と、システム情報の少なくとも一部を共通に有する２つ以上の基地局のグループを示す識別データとを送信することであって、システム情報は、（ｉ）システム情報ブロックの完全なインスタンス、及び（ｉｉ）別の基地局に適用可能なシステム情報のインスタンスに関する差異情報を含むシステム情報ブロックの部分的なインスタンスを送信することによって、複数のシステム情報ブロックを含む、ことと
を含む。
【０１０８】
図２３は、ワイヤレス通信システムで使用するための基地局の動作の方法の概略フローチャートであり、方法は、
（ステップ２３００で）端末デバイスとのワイヤレス通信を行うことと、
（ステップ２３１０で）通信パラメータを定義するシステム情報を送信することであって、システム情報が複数のシステム情報ブロックを含む、ことと、
（ステップ２３２０で）その基地局によって保持されたシステム情報について、その基地局によって維持される有効期間の残りの部分を増加させるよう端末デバイスに指示するためのタイマーリセットメッセージを送信することと
を含む。
【０１０９】
図２４は、ワイヤレス通信システムで使用するための基地局の動作の方法の概略フローチャートであり、方法は、
（ステップ２４００で）その基地局の通信パラメータを定義するシステム情報のセットを参照する基準データを送信することと、
（ステップ２４１０で）参照されたシステム情報に従って端末デバイスとのワイヤレス通信を行うことと
を含む。
【０１１０】
最後に、上記は端末デバイスを特定の例として説明してきたが、任意のタイプのデバイスが想定される。例えば、本原理に従って、デバイスは、スマートメガネ又はフィットネスバンドのようなウェアラブルデバイスであってもよい。さらに、デバイスは、自動車、バン又はボートのような車両内に配置されてもよく、スマートメータ、センサー又は家電製品のような固定のデバイスであってもよい。
【０１１１】
処理、送信又は受信の方法が上記で説明されている場合、そのような方法を実行するように構成された装置もまた、本開示の実施形態を表すと考えられることを了解されよう。
【０１１２】
本開示の実施形態が少なくとも部分的にソフトウェア制御のデータ処理装置によって実装される（又は技術的に可能である）ものとして説明されている限り、例えば光ディスク、磁気ディスク、半導体メモリなど、そのようなソフトウェアを担持する非一時的機械可読媒体も本開示の一実施形態を表すと考えられることを了解されよう。
【０１１３】
上記の教示に照らして、本開示の多くの修正及び変形が可能であることは明らかであろう。したがって、添付の特許請求の範囲内で、本明細書に具体的に記載されているものとは異なる方法で、技術を実施することができることを理解されたい。
【０１１４】
本開示の実施形態は、以下の番号のついた節によって例示することができる。
１．ワイヤレス通信システムで使用するための端末デバイスであって、
基地局とワイヤレス通信を行い、その基地局から受信されたシステム情報データから通信パラメータを定義するシステム情報を取得するためのトランシーバと、
システム情報ストレージと、
システム情報ストレージが新たに通信する基地局に適用可能なシステム情報の少なくとも一部をすでに保持しているかどうかを検出し、端末デバイスによってまだ保持されていないシステム情報の任意の部分を取得するようにトランシーバを制御するためのコントローラと、
を含み、システム情報が、複数のシステム情報ブロックを含み、
コントローラが、新たに通信する基地局に適用可能なシステム情報ストレージによって記憶されるシステム情報ブロックの一部を検出し、新たに通信する基地局からそのシステム情報ブロックの他の部分を部分的なシステム情報ブロックとして取得するように構成される
端末デバイス。
２．コントローラが、新たに通信する基地局から受信されたシステム情報に関連する識別データが、システム情報ストレージによって記憶されたシステム情報に関連する識別データに対応するかどうかを検出するように構成される、第１節に記載の端末デバイス。
３．システム情報ストレージが、システム情報の２つ以上のインスタンスを記憶するように構成され、各インスタンスが、１つ以上のそれぞれの基地局に対応する、第１節又は第２節に記載の端末デバイス。
４．システム情報ストレージが、端末デバイスによって直近に取得されたシステム情報の２つ以上の異なるインスタンスを記憶するように構成される、第３節に記載の端末デバイス。
５．システム情報が、端末デバイスがシステム情報ブロックを取得する前に端末デバイスによって取得されたマスター情報ブロックを含み、
システム情報ブロックが、一連の第１のシステム情報ブロックと、１つ以上のさらなるシステム情報ブロックとを含み、
マスター情報ブロックが、第１のシステム情報ブロックの受信のための１つ以上のパラメータを提供し、
第１のシステム情報ブロックが、１つ以上のさらなるシステム情報ブロックの受信のための１つ以上のパラメータを提供する
前述の節のうちのいずれか１項に記載の端末デバイス。
６．識別データが、マスター情報ブロックと第１のシステム情報ブロックの一方又は両方によって搬送される、第５節に記載の端末デバイス。
７．システム情報ストアによって記憶されたシステム情報に対応する識別データを搬送する第１のシステム情報ブロックの受信に応答して、コントローラが、さらなるシステム情報ブロックを受信しないようにトランシーバを制御するように構成される、第５節又は第６節に記載の端末デバイス。
８．システム情報ストレージが、識別データとして、記憶されたシステム情報のインスタンスの少なくともそれぞれの部分に適用可能な１つ以上の基地局識別子のセットを記憶するように構成される、第２節〜第７節のうちのいずれか一項に記載の端末デバイス。
９．基地局識別子が、
セル識別子、
エリア識別子、
情報ブロックタグ、
トラッキングエリア識別子、及び
パブリックランドモバイルネットワーク識別子
からなるリストから選択される１つ以上を含む、第８節に記載の端末デバイス。
１０．基地局から受信されたシステム情報が、
その基地局との通信のための通信パラメータ、及び
デバイス間通信動作において、その基地局から受信された通信パラメータの制御下で動作する他の端末デバイスと通信するための通信パラメータ
のうちの１つ又は両方を定義する、
前述の節のうちのいずれか一項に記載の端末デバイス。
１１．基地局から受信されたシステム情報データが、基地局によってブロードキャストされたシステム情報データである、前述の節のうちのいずれか一項に記載の端末デバイス。
１２．ワイヤレス通信システムで使用するための端末デバイスであって、
基地局とワイヤレス通信を行い、複数の情報ブロックを含むシステム情報データから通信パラメータを定義するシステム情報を取得するためのトランシーバと、
システム情報ストレージと、
システム情報ストレージが新たに通信する基地局に適用可能なシステム情報の少なくとも一部をすでに保持しているかどうかを検出し、端末デバイスによってまだ保持されていないシステム情報の任意の部分を新たに通信する基地局から取得するようにトランシーバを制御するためのコントローラと
を含み、コントローラが、新たに通信する基地局によって送信された情報ブロックに関連する識別データが、システム情報ストレージによって記憶された情報ブロックに関連する識別データに対応するかどうかを検出するように構成され、
識別データが、基地局のグループを識別するエリア情報と、１つ以上の情報ブロックのバージョンを識別する値タグとを含む、
端末デバイス。
１３．エリア情報によって識別される基地局のグループが、値タグが適用可能な基地局を識別する、第１２節に記載の端末デバイス。
１４．システム情報が、端末デバイスがシステム情報ブロックを取得する前に端末デバイスによって取得されたマスター情報ブロックを含み、
システム情報ブロックが、一連の第１のシステム情報ブロックと、１つ以上のさらなるシステム情報ブロックとを含み、
マスター情報ブロックが、第１のシステム情報ブロックの受信のための１つ以上のパラメータを提供し、
第１のシステム情報ブロックが、１つ以上のさらなるシステム情報ブロックの受信のための１つ以上のパラメータを提供する
第１２節又は第１３節に記載の端末デバイス。
１５．それぞれの値タグが、マスター情報ブロック、第１のシステム情報ブロック、及びさらなるシステム情報ブロックの各々に関連付けられる、第１４節に記載の端末デバイス。
１６．ワイヤレス通信システムで使用するための端末デバイスであって、
基地局とワイヤレス通信を行い、その基地局によって送信されたシステム情報データから通信パラメータを定義するシステム情報を取得するためのトランシーバと、
システム情報と、システム情報のそれぞれの部分のバージョンを識別する１つ以上の関連する値タグとを記憶するように構成されたシステム情報ストレージと、
システム情報ストレージが新たに通信する基地局に適用可能なシステム情報の少なくとも一部をすでに保持しているかどうかを検出し、基地局から端末デバイスによってまだ保持されていないシステム情報の任意の部分を取得するようにトランシーバを制御するためのコントローラと
を含み、コントローラが、更新されたシステム情報を取得する旨の命令を検出し、命令の検出に応答して、システム情報ストレージによって保持される対応する値タグとは異なる部分のバージョンを示す値タグを有するシステム情報の部分のみの更新バージョンを基地局から取得するように構成される
端末デバイス。
１７．命令が、基地局から受信されたページング命令である、第１６節に記載の端末デバイス。
１８．システム情報が、端末デバイスがシステム情報ブロックを取得する前に端末デバイスによって取得されたマスター情報ブロックを含み、
システム情報ブロックが、一連の第１のシステム情報ブロックと、１つ以上のさらなるシステム情報ブロックとを含み、
マスター情報ブロックが、第１のシステム情報ブロックの受信のための１つ以上のパラメータを提供し、
第１のシステム情報ブロックが、１つ以上のさらなるシステム情報ブロックの受信のための１つ以上のパラメータを提供する
第１６節又は第１７節に記載の端末デバイス。
１９．命令が、マスター情報ブロック又は第１のシステム情報ブロックに含まれる、第１８節に記載の端末デバイス。
２０．コントローラが、システム情報の有効期間を示す有効タイマーを維持するように構成され、命令が、有効期間の終了に応答して検出される、第１６節〜第１９節のうちのいずれか一項に記載の端末デバイス。
２１．コントローラが、有効期間の終了前に基地局から受信されたタイマーリセットメッセージに応答して、有効期間の残りの部分を増加させるように有効タイマーを変更する、第２０節に記載の端末デバイス。
２２．コントローラが、タイマーリセットメッセージに応答して、十分な有効期間が残っていることを示すために有効タイマーをリセットする、第２１節に記載の端末デバイス。
２３．タイマーリセットメッセージが、基地局から受信されたページングメッセージである、第２２節に記載の端末デバイス。
２４．ワイヤレス通信システムで使用するための端末デバイスであって、
基地局とワイヤレス通信を行い、その基地局によって送信されたシステム情報データから通信パラメータを定義するシステム情報を取得するためのトランシーバと、
システム情報ストレージと、
システム情報ストレージが新たに通信する基地局に適用可能なシステム情報の少なくとも一部をすでに保持しているかどうかを検出し、基地局から端末デバイスによってまだ保持されていないシステム情報の任意の部分を取得するようにトランシーバを制御するためのコントローラと
を含み、コントローラが、システム情報の有効期間を示す有効タイマーを維持し、有効期間の終了に応答して、更新されたシステム情報を基地局から取得するように構成され、
コントローラが、有効期間の終了前に基地局から受信されたタイマーリセットメッセージに応答して、有効期間の残りの部分を増加させるように有効タイマーを変更する
端末デバイス。
２５．コントローラが、タイマーリセットメッセージに応答して、十分な有効期間が残っていることを示すために有効タイマーをリセットする、第２４節に記載の端末デバイス。
２６．タイマーリセットメッセージが、基地局から受信されたページングメッセージである、第２４節又は第２５節に記載の端末デバイス。
２７．タイマーリセットメッセージが、基地局から受信された第１のシステム情報メッセージに含まれ、有効タイマーへの変更が、１つ以上のさらなるシステム情報メッセージに適用される、第２４節〜第２６節のうちのいずれか一項に記載の端末デバイス。
２８．コントローラは、基地局から受信された第１のシステム情報メッセージからタイマーリセットメッセージを推定するように構成され、基地局に対して、コントローラは、システム情報ストレージがそのメッセージに対応するシステム情報をすでに保持しているかどうかを検出し、有効タイマーへの変更が、１つ以上のさらなるシステム情報メッセージに適用される、第２４節〜第２６節のうちのいずれか一項に記載の端末デバイス。
２９．ワイヤレス通信システムで使用するための基地局であって、
端末デバイスとのワイヤレス通信を行うトランシーバと、
通信パラメータを定義するシステム情報と、システム情報の少なくとも一部を共通に有する２つ以上の基地局のグループを示す識別データとを送信するようにトランシーバを制御するためのコントローラと
を含み、システム情報が、複数のシステム情報ブロックを含み、
コントローラが、（ｉ）システム情報ブロックの完全なインスタンス、及び（ｉｉ）別の基地局に適用可能なシステム情報のインスタンスに関する差異情報を含むシステム情報ブロックの部分的なインスタンスを送信するようにトランシーバを制御するように構成される
基地局。
３０．システム情報が、マスター情報ブロックと、２つ以上のシステム情報ブロックとを含み、
システム情報ブロックが、一連の第１のシステム情報ブロックと、１つ以上のさらなるシステム情報ブロックとを含み、
マスター情報ブロックが、第１のシステム情報ブロックの端末デバイスによる受信のための１つ以上のパラメータを提供し、
第１のシステム情報ブロックが、１つ以上のさらなるシステム情報ブロックの端末デバイスによる受信のための１つ以上のパラメータを提供する
第２９節に記載の基地局。
３１．コントローラが、マスター情報ブロック及び第１のシステム情報ブロックの一方又は両方において識別データを送信するようにトランシーバを制御するように構成される、第３０節に記載の基地局。
３２．コントローラが、システム情報をブロードキャストするようにトランシーバを制御するように構成される、第２９節〜第３１節のうちのいずれか一項に記載の基地局。
３３．識別データ、及びシステム情報の少なくとも一部が２つ以上の基地局のセットの間で共通である、第２９節〜第３２節のうちのいずれか一項に記載の各々２つ以上の基地局のセット。
３４．ワイヤレス通信システムで使用するための基地局であって、
端末デバイスとのワイヤレス通信を行うトランシーバと、
通信パラメータを定義するシステム情報を送信するようにトランシーバを制御するためのコントローラと
を含み、システム情報が、複数のシステム情報ブロックを含み、
コントローラが、その基地局によって保持されたシステム情報について、その基地局によって維持される有効期間の残りの部分を増加させるよう端末デバイスに指示するためのタイマーリセットメッセージを送信するようにトランシーバを制御するように構成される
基地局。
３５．ワイヤレス通信システムで使用するための基地局であって、
端末デバイスとのワイヤレス通信を行うトランシーバと、
その基地局の通信パラメータを定義するシステム情報のセットを参照する基準データを送信するようにトランシーバを制御するためのコントローラと
を含み、コントローラが、参照されたシステム情報に従ってワイヤレス通信を行うようにトランシーバを制御するように構成される
基地局。
３６．基地局によって送信されるワイヤレスデータ信号であって、ワイヤレスデータ信号が、通信パラメータを定義するシステム情報ブロックと、システム情報の少なくとも一部を共通に有する２つ以上の基地局のグループを示す識別データとを含み、システム情報ブロックが、（ｉ）システム情報ブロックの完全なインスタンス、及び（ｉｉ）別の基地局に適用可能なシステム情報のインスタンスに関する差異情報を含むシステム情報ブロックの部分的なインスタンスを含む、ワイヤレスデータ信号。
３７．基地局によって送信されるワイヤレスデータ信号であって、ワイヤレスデータ信号が、通信パラメータを定義するシステム情報ブロックと、時々、その基地局によって保持されたシステム情報について、その基地局によって維持される有効期間の残りの部分を増加させるよう端末デバイスに指示するためのタイマーリセットメッセージとを含む、ワイヤレスデータ信号。
３８．ワイヤレス通信システムで使用するための端末デバイスの動作の方法であって、
基地局から受信されたシステム情報データから通信パラメータを定義するシステム情報を取得することであって、システム情報が、複数のシステム情報ブロックを含む、ことと、
システム情報を記憶することと、
新たに通信する基地局に適用可能なシステム情報の少なくとも一部をシステム情報ストレージがすでに保持しているかどうかを検出することと、
新たに通信する基地局に適用可能な記憶されたシステム情報ブロックの一部を検出し、新たに通信する基地局からそのシステム情報ブロックの他の部分を部分的なシステム情報ブロックとして取得することによって、まだ記憶されていないシステム情報の任意の部分を取得することと
を含む方法。
３９．コンピュータによって実行されると、コンピュータに、第３８節の方法を実行させるコンピュータソフトウェア。
４０．第３９節に記載のコンピュータソフトウェアを記憶した機械可読非一時的記憶媒体。
４１．ワイヤレス通信システムで使用するための端末デバイスの動作の方法であって、
複数の情報ブロックを含むシステム情報データから通信パラメータを定義するシステム情報を取得することと、
システム情報を記憶することと、
新たに通信する基地局に適用可能なシステム情報の少なくとも一部をシステム情報ストレージがすでに保持しているかどうかを検出することと、
新たに通信する基地局から、まだ記憶されていないシステム情報の任意の部分を取得することと、
新たに通信する基地局によって送信された情報ブロックに関連する識別データが、記憶された情報ブロックに関連する識別データに対応するかどうかを検出することと
を含み、識別データが、基地局のグループを識別するエリア情報と、１つ以上の情報ブロックのバージョンを識別する値タグとを含む
方法。
４２．コンピュータによって実行されると、コンピュータに、第４１節の方法を実行させるコンピュータソフトウェア。
４３．第４２節に記載のコンピュータソフトウェアを記憶した機械可読非一時的記憶媒体。
４４．ワイヤレス通信システムで使用するための端末デバイスの動作の方法であって、
基地局によって送信されたシステム情報データから通信パラメータを定義するシステム情報を取得することと、
システム情報と、システム情報のそれぞれの部分のバージョンを識別する１つ以上の関連する値タグとを記憶することと、
新たに通信する基地局に適用可能なシステム情報の少なくとも一部をシステム情報ストレージがすでに保持しているかどうかを検出することと、
端末デバイスによってまだ保持されていないシステム情報の任意の部分を基地局から取得することと、
更新されたシステム情報を取得する旨の命令を検出することと、
命令の検出に応答して、対応する記憶された値タグとは異なる部分のバージョンを示す値タグを有するシステム情報の部分のみの更新バージョンを基地局から取得することと
を含む方法。
４５．コンピュータによって実行されると、コンピュータに、第４４節の方法を実行させるコンピュータソフトウェア。
４６．第４５節に記載のコンピュータソフトウェアを記憶した機械可読非一時的記憶媒体。
４７．ワイヤレス通信システムで使用するための端末デバイスの動作の方法であって、
基地局によって送信されたシステム情報データから通信パラメータを定義するシステム情報を取得することと、
システム情報を記憶することと、
新たに通信する基地局に適用可能なシステム情報の少なくとも一部をシステム情報ストレージがすでに保持しているかどうかを検出することと、
端末デバイスによってまだ記憶されていないシステム情報の任意の部分を基地局から取得することと、
システム情報の有効期間を示す有効タイマーを維持することと、
有効期間の終了に応答して、更新されたシステム情報を基地局から取得することと、
有効期間の終了前に基地局から受信されたタイマーリセットメッセージに応答して、有効期間の残りの部分を増加させるように有効タイマーを変更することと
を含む方法。
４８．コンピュータによって実行されると、コンピュータに、第４７節の方法を実行させるコンピュータソフトウェア。
４９．第４８節に記載のコンピュータソフトウェアを記憶した機械可読非一時的記憶媒体。
５０．ワイヤレス通信システムで使用するための基地局の動作の方法であって、
端末デバイスとのワイヤレス通信を行うことと、
通信パラメータを定義するシステム情報と、システム情報の少なくとも一部を共通に有する２つ以上の基地局のグループを示す識別データとを送信することであって、システム情報が、（ｉ）システム情報ブロックの完全なインスタンス、及び（ｉｉ）別の基地局に適用可能なシステム情報のインスタンスに関する差異情報を含むシステム情報ブロックの部分的なインスタンスを送信することによって、複数のシステム情報ブロックを含む、ことと
を含む方法。
５１．コンピュータによって実行されると、コンピュータに、第５０節の方法を実行させるコンピュータソフトウェア。
５２．第５１節に記載のコンピュータソフトウェアを記憶した機械可読非一時的記憶媒体。
５３．ワイヤレス通信システムで使用するための基地局の動作の方法であって、
端末デバイスとのワイヤレス通信を行うことと、
通信パラメータを定義するシステム情報を送信することであって、システム情報が複数のシステム情報ブロックを含む、ことと、
その基地局によって保持されたシステム情報について、その基地局によって維持される有効期間の残りの部分を増加させるよう端末デバイスに指示するためのタイマーリセットメッセージを送信することと
を含む方法。
５４．コンピュータによって実行されると、コンピュータに、第５３節の方法を実行させるコンピュータソフトウェア。
５５．第５４節に記載のコンピュータソフトウェアを記憶した機械可読非一時的記憶媒体。
５６．ワイヤレス通信システムで使用するための基地局の動作の方法であって、
その基地局の通信パラメータを定義するシステム情報のセットを参照する基準データを送信することと、
参照されたシステム情報に従って端末デバイスとのワイヤレス通信を行うことと
を含む方法。
５７．コンピュータによって実行されると、コンピュータに、第５６節の方法を実行させるコンピュータソフトウェア。
５８．第５７節に記載のコンピュータソフトウェアを記憶した機械可読非一時的記憶媒体。
【図１】
2018533881.tif 000003
【図２】
2018533881.tif 000004
【図３】
2018533881.tif 000005
【図４】
2018533881.tif 000006
【図５】
2018533881.tif 000007
【図６】
2018533881.tif 000008
【図７】
2018533881.tif 000009
【図８】
2018533881.tif 000010
【図９】
2018533881.tif 000011
【図１０】
2018533881.tif 000012
【図１１】
2018533881.tif 000013
【図１２】
2018533881.tif 000014
【図１３】
2018533881.tif 000015
【図１４】
2018533881.tif 000016
【図１５】
2018533881.tif 000017
【図１６】
2018533881.tif 000018
【図１７】
2018533881.tif 000019
【図１８】
2018533881.tif 000020
【図１９】
2018533881.tif 000021
【図２０】
2018533881.tif 000022
【図２１】
2018533881.tif 000023
【図２２】
2018533881.tif 000024
【図２３】
2018533881.tif 000025
【図２４】
2018533881.tif 000026
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
ワイヤレス通信システムで使用するための端末デバイスであって、
基地局とワイヤレス通信を行い、その基地局から受信されたシステム情報データから通信パラメータを定義するシステム情報を取得するためのトランシーバと、
システム情報ストレージと、
前記システム情報ストレージが新たに通信する基地局に適用可能な前記システム情報の少なくとも一部をすでに保持しているかどうかを検出し、前記端末デバイスによってまだ保持されていない前記システム情報の任意の部分を取得するように前記トランシーバを制御するためのコントローラと
を含み、前記システム情報が、複数のシステム情報ブロックを含み、
前記コントローラが、前記新たに通信する基地局に適用可能な前記システム情報ストレージによって記憶されるシステム情報ブロックの一部を検出し、前記新たに通信する基地局からそのシステム情報ブロックの他の部分を部分的なシステム情報ブロックとして取得するように構成される
端末デバイス。
【請求項２】
前記コントローラが、前記新たに通信する基地局から受信されたシステム情報に関連する識別データが、前記システム情報ストレージによって記憶されたシステム情報に関連する識別データに対応するかどうかを検出するように構成される、請求項１に記載の端末デバイス。
【請求項３】
前記システム情報ストレージが、システム情報の２つ以上のインスタンスを記憶するように構成され、各インスタンスが、１つ以上のそれぞれの基地局に対応する、請求項１に記載の端末デバイス。
【請求項４】
前記システム情報ストレージが、前記端末デバイスによって直近に取得されたシステム情報の２つ以上の異なるインスタンスを記憶するように構成される、請求項３に記載の端末デバイス。
【請求項５】
前記システム情報が、端末デバイスが前記システム情報ブロックを取得する前に前記端末デバイスによって取得されたマスター情報ブロックを含み、
前記システム情報ブロックが、一連の第１のシステム情報ブロックと、１つ以上のさらなるシステム情報ブロックとを含み、
前記マスター情報ブロックが、前記第１のシステム情報ブロックの受信のための１つ以上のパラメータを提供し、
前記第１のシステム情報ブロックが、前記１つ以上のさらなるシステム情報ブロックの受信のための１つ以上のパラメータを提供する
請求項１に記載の端末デバイス。
【請求項６】
前記新たに通信する基地局から受信されたシステム情報に関連する識別データが、前記マスター情報ブロックと前記第１のシステム情報ブロックの一方又は両方によって搬送される、請求項５に記載の端末デバイス。
【請求項７】
システム情報ストアによって記憶されたシステム情報に対応する識別データを搬送する第１のシステム情報ブロックの受信に応答して、前記コントローラが、前記さらなるシステム情報ブロックを受信しないように前記トランシーバを制御するように構成される、請求項６に記載の端末デバイス。
【請求項８】
前記システム情報ストレージが、前記識別データとして、記憶されたシステム情報のインスタンスの少なくともそれぞれの部分に適用可能な１つ以上の基地局識別子のセットを記憶するように構成される、請求項２に記載の端末デバイス。
【請求項９】
前記基地局識別子が、
セル識別子、
エリア識別子、
情報ブロックタグ、
トラッキングエリア識別子、及び
パブリックランドモバイルネットワーク識別子
からなるリストから選択される１つ以上を含む、請求項８に記載の端末デバイス。
【請求項１０】
基地局から受信された前記システム情報が、
その基地局との通信のための通信パラメータ、及び
デバイス間通信動作において、その基地局から受信された通信パラメータの制御下で動作する他の端末デバイスと通信するための通信パラメータ
のうちの１つ又は両方を定義する、
請求項１に記載の端末デバイス。
【請求項１１】
前記基地局から受信された前記システム情報データが、前記基地局によってブロードキャストされたシステム情報データである、請求項１に記載の端末デバイス。
【請求項１２】
ワイヤレス通信システムで使用するための端末デバイスであって、
基地局とワイヤレス通信を行い、複数の情報ブロックを含むシステム情報データから通信パラメータを定義するシステム情報を取得するためのトランシーバと、
システム情報ストレージと、
前記システム情報ストレージが前記新たに通信する基地局に適用可能な前記システム情報の少なくとも一部をすでに保持しているかどうかを検出し、前記端末デバイスによってまだ保持されていない前記システム情報の任意の部分を前記新たに通信する基地局から取得するように前記トランシーバを制御するためのコントローラと
を含み、前記コントローラが、前記新たに通信する基地局によって送信された情報ブロックに関連する識別データが、前記システム情報ストレージによって記憶された情報ブロックに関連する識別データに対応するかどうかを検出するように構成され、
前記識別データが、基地局のグループを識別するエリア情報と、１つ以上の前記情報ブロックのバージョンを識別する値タグとを含む
端末デバイス。
【請求項１３】
前記エリア情報によって識別される基地局の前記グループが、前記値タグが適用可能な基地局を識別する、請求項１２に記載の端末デバイス。
【請求項１４】
前記システム情報が、端末デバイスがシステム情報ブロックを取得する前に前記端末デバイスによって取得されたマスター情報ブロックを含み、
前記システム情報ブロックが、一連の第１のシステム情報ブロックと、１つ以上のさらなるシステム情報ブロックとを含み、
前記マスター情報ブロックが、前記第１のシステム情報ブロックの受信のための１つ以上のパラメータを提供し、
前記第１のシステム情報ブロックが、前記１つ以上のさらなるシステム情報ブロックの受信のための１つ以上のパラメータを提供する
請求項１２に記載の端末デバイス。
【請求項１５】
それぞれの値タグが、前記マスター情報ブロック、前記第１のシステム情報ブロック、及び前記さらなるシステム情報ブロックの各々に関連付けられる、請求項１４に記載の端末デバイス。
【請求項１６】
ワイヤレス通信システムで使用するための端末デバイスであって、
基地局とワイヤレス通信を行い、その基地局によって送信されたシステム情報データから通信パラメータを定義するシステム情報を取得するためのトランシーバと、
前記システム情報と、前記システム情報のそれぞれの部分のバージョンを識別する１つ以上の関連する値タグとを記憶するように構成されたシステム情報ストレージと、
前記システム情報ストレージが前記新たに通信する基地局に適用可能な前記システム情報の少なくとも一部をすでに保持しているかどうかを検出し、前記基地局から前記端末デバイスによってまだ保持されていない前記システム情報の任意の部分を取得するように前記トランシーバを制御するためのコントローラと
を含み、前記コントローラが、更新されたシステム情報を取得する旨の命令を検出し、前記命令の検出に応答して、前記システム情報ストレージによって保持される前記関連する値タグとは異なる部分のバージョンを示す値タグを有する前記システム情報の部分のみの更新バージョンを前記基地局から取得するように構成される
端末デバイス。
【請求項１７】
前記命令が、前記基地局から受信されたページング命令である、請求項１６に記載の端末デバイス。
【請求項１８】
前記システム情報が、端末デバイスがシステム情報ブロックを取得する前に前記端末デバイスによって取得されたマスター情報ブロックを含み、
前記システム情報ブロックが、一連の第１のシステム情報ブロックと、１つ以上のさらなるシステム情報ブロックとを含み、
前記マスター情報ブロックが、前記第１のシステム情報ブロックの受信のための１つ以上のパラメータを提供し、
前記第１のシステム情報ブロックが、前記１つ以上のさらなるシステム情報ブロックの受信のための１つ以上のパラメータを提供する
請求項１６に記載の端末デバイス。
【請求項１９】
前記命令が、前記マスター情報ブロック又は前記第１のシステム情報ブロックに含まれる、請求項１８に記載の端末デバイス。
【請求項２０】
前記コントローラが、前記システム情報の有効期間を示す有効タイマーを維持するように構成され、前記命令が、前記有効期間の終了に応答して検出される、請求項１６に記載の端末デバイス。
【請求項２１】
前記コントローラが、前記有効期間の終了前に前記基地局から受信されたタイマーリセットメッセージに応答して、前記有効期間の残りの部分を増加させるように前記有効タイマーを変更する、請求項２０に記載の端末デバイス。
【請求項２２】
前記コントローラが、前記タイマーリセットメッセージに応答して、十分な有効期間が残っていることを示すために前記有効タイマーをリセットする、請求項２１に記載の端末デバイス。
【請求項２３】
前記タイマーリセットメッセージが、前記基地局から受信されたページングメッセージである、請求項２２に記載の端末デバイス。
【請求項２４】
ワイヤレス通信システムで使用するための端末デバイスであって、
基地局とワイヤレス通信を行い、その基地局によって送信されたシステム情報データから通信パラメータを定義するシステム情報を取得するためのトランシーバと、
システム情報ストレージと、
前記システム情報ストレージが前記新たに通信する基地局に適用可能な前記システム情報の少なくとも一部をすでに保持しているかどうかを検出し、前記基地局から前記端末デバイスによってまだ保持されていない前記システム情報の任意の部分を取得するように前記トランシーバを制御するためのコントローラと
を含み、前記コントローラが、前記システム情報の有効期間を示す有効タイマーを維持し、前記有効期間の終了に応答して、更新されたシステム情報を前記基地局から取得するように構成され、
前記コントローラが、前記有効期間の終了前に前記基地局から受信されたタイマーリセットメッセージに応答して、前記有効期間の残りの部分を増加させるように前記有効タイマーを変更する
端末デバイス。
【請求項２５】
前記コントローラが、前記タイマーリセットメッセージに応答して、十分な有効期間が残っていることを示すために前記有効タイマーをリセットする、請求項２４に記載の端末デバイス。
【請求項２６】
前記タイマーリセットメッセージが、前記基地局から受信されたページングメッセージである、請求項２５に記載の端末デバイス。
【請求項２７】
前記タイマーリセットメッセージが、前記基地局から受信された第１のシステム情報メッセージに含まれ、前記有効タイマーへの変更が、１つ以上のさらなるシステム情報メッセージに適用される、請求項２４に記載の端末デバイス。
【請求項２８】
前記コントローラは、前記基地局から受信された第１のシステム情報メッセージから、前記タイマーリセットメッセージを推定するように構成され、前記基地局に対して、前記コントローラは、前記システム情報ストレージがそのメッセージに対応するシステム情報をすでに保持しているかどうかを検出し、前記有効タイマーへの変更が、１つ以上のさらなるシステム情報メッセージに適用される、請求項２４に記載の端末デバイス。
【請求項２９】
ワイヤレス通信システムで使用するための基地局であって、
端末デバイスとのワイヤレス通信を行うトランシーバと、
通信パラメータを定義するシステム情報と、前記システム情報の少なくとも一部を共通に有する２つ以上の基地局のグループを示す識別データとを送信するように前記トランシーバを制御するためのコントローラと
を含み、前記システム情報が、複数のシステム情報ブロックを含み、
前記コントローラが、（ｉ）システム情報ブロックの完全なインスタンス、及び（ｉｉ）別の基地局に適用可能なシステム情報のインスタンスに関する差異情報を含む前記システム情報ブロックの部分的なインスタンスを送信するように前記トランシーバを制御するように構成される
基地局。
【請求項３０】
前記システム情報が、マスター情報ブロックと、２つ以上のシステム情報ブロックとを含み、
前記システム情報ブロックが、一連の第１のシステム情報ブロックと、１つ以上のさらなるシステム情報ブロックとを含み、
前記マスター情報ブロックが、前記第１のシステム情報ブロックの端末デバイスによる受信のための１つ以上のパラメータを提供し、
前記第１のシステム情報ブロックが、前記１つ以上のさらなるシステム情報ブロックの端末デバイスによる受信のための１つ以上のパラメータを提供する
請求項２９に記載の基地局。
【請求項３１】
前記コントローラが、前記マスター情報ブロック及び前記第１のシステム情報ブロックの一方又は両方において前記識別データを送信するように前記トランシーバを制御するように構成される、請求項３０に記載の基地局。
【請求項３２】
前記コントローラが、前記システム情報をブロードキャストするように前記トランシーバを制御するように構成される、請求項２９に記載の基地局。
【請求項３３】
前記識別データ、及び前記システム情報の少なくとも一部が２つ以上の基地局の前記セットの間で共通である、請求項２９に記載の基地局。
【請求項３４】
ワイヤレス通信システムで使用するための基地局であって、
端末デバイスとのワイヤレス通信を行うトランシーバと、
通信パラメータを定義するシステム情報を送信するように前記トランシーバを制御するためのコントローラと
を含み、前記システム情報が、複数のシステム情報ブロックを含み、
前記コントローラが、その基地局によって保持されたシステム情報について、その基地局によって維持される有効期間の残りの部分を増加させるよう端末デバイスに指示するためのタイマーリセットメッセージを送信するように前記トランシーバを制御するように構成される
基地局。
【請求項３５】
ワイヤレス通信システムで使用するための基地局であって、
端末デバイスとのワイヤレス通信を行うトランシーバと、
その基地局の通信パラメータを定義するシステム情報のセットを参照する基準データを送信するように前記トランシーバを制御するためのコントローラと
を含み、前記コントローラが、前記参照されたシステム情報に従ってワイヤレス通信を行うように前記トランシーバを制御するように構成される
基地局。
【請求項３６】
基地局によって送信されるワイヤレスデータ信号であって、前記ワイヤレスデータ信号が、通信パラメータを定義するシステム情報ブロックと、前記システム情報ブロックの少なくとも一部を共通に有する２つ以上の基地局のグループを示す識別データとを含み、前記システム情報ブロックが、（ｉ）システム情報ブロックの完全なインスタンス、及び（ｉｉ）別の基地局に適用可能なシステム情報のインスタンスに関する差異情報を含む前記システム情報ブロックの部分的なインスタンスを含む、ワイヤレスデータ信号。
【請求項３７】
基地局によって送信されるワイヤレスデータ信号であって、前記ワイヤレスデータ信号が、通信パラメータを定義するシステム情報ブロックと、時々、その基地局によって保持されたシステム情報について、その基地局によって維持される有効期間の残りの部分を増加させるよう端末デバイスに指示するためのタイマーリセットメッセージとを含む、ワイヤレスデータ信号。
【請求項３８】
ワイヤレス通信システムで使用するための端末デバイスの動作の方法であって、
基地局から受信されたシステム情報データから通信パラメータを定義するシステム情報を取得することであって、前記システム情報が、複数のシステム情報ブロックを含む、ことと、
前記システム情報を記憶することと、
新たに通信する基地局に適用可能な前記システム情報の少なくとも一部をシステム情報ストレージがすでに保持しているかどうかを検出することと、
前記新たに通信する基地局に適用可能な記憶されたシステム情報ブロックの一部を検出し、前記新たに通信する基地局からそのシステム情報ブロックの他の部分を部分的なシステム情報ブロックとして取得することによって、まだ記憶されていない前記システム情報の任意の部分を取得することと
を含む方法。
【請求項３９】
コンピュータによって実行されると、前記コンピュータに、請求項３８の前記方法を実行させるコンピュータソフトウェア。
【請求項４０】
請求項３９に記載のコンピュータソフトウェアを記憶した機械可読非一時的記憶媒体。
【請求項４１】
ワイヤレス通信システムで使用するための端末デバイスの動作の方法であって、
複数の情報ブロックを含むシステム情報データから通信パラメータを定義するシステム情報を取得することと、
前記システム情報を記憶することと、
新たに通信する基地局に適用可能な前記システム情報の少なくとも一部をシステム情報ストレージがすでに保持しているかどうかを検出することと、
前記新たに通信する基地局から、まだ記憶されていない前記システム情報の任意の部分を取得することと、
前記新たに通信する基地局によって送信された情報ブロックに関連する識別データが、記憶された情報ブロックに関連する識別データに対応するかどうかを検出することと
を含み、前記識別データが、基地局のグループを識別するエリア情報と、１つ以上の前記情報ブロックのバージョンを識別する値タグとを含む
方法。
【請求項４２】
コンピュータによって実行されると、前記コンピュータに、請求項４１の前記方法を実行させるコンピュータソフトウェア。
【請求項４３】
請求項４２に記載のコンピュータソフトウェアを記憶した機械可読非一時的記憶媒体。
【請求項４４】
ワイヤレス通信システムで使用するための端末デバイスの動作の方法であって、
基地局によって送信されたシステム情報データから通信パラメータを定義するシステム情報を取得することと、
前記システム情報と、前記システム情報のそれぞれの部分のバージョンを識別する１つ以上の関連する値タグとを記憶することと、
前記新たに通信する基地局に適用可能な前記システム情報の少なくとも一部をシステム情報ストレージがすでに保持しているかどうかを検出することと、
前記端末デバイスによってまだ保持されていない前記システム情報の任意の部分を前記基地局から取得することと、
更新されたシステム情報を取得する旨の命令を検出することと、
前記命令の検出に応答して、前記関連する記憶された値タグとは異なる部分のバージョンを示す値タグを有する前記システム情報の部分のみの更新バージョンを前記基地局から取得することと
を含む方法。
【請求項４５】
コンピュータによって実行されると、前記コンピュータに、請求項４４の前記方法を実行させるコンピュータソフトウェア。
【請求項４６】
請求項４５に記載のコンピュータソフトウェアを記憶した機械可読非一時的記憶媒体。
【請求項４７】
ワイヤレス通信システムで使用するための端末デバイスの動作の方法であって、
基地局によって送信されたシステム情報データから通信パラメータを定義するシステム情報を取得することと、
前記システム情報を記憶することと、
前記新たに通信する基地局に適用可能な前記システム情報の少なくとも一部をシステム情報ストレージがすでに保持しているかどうかを検出することと、
前記端末デバイスによってまだ記憶されていない前記システム情報の任意の部分を前記基地局から取得することと、
前記システム情報の有効期間を示す有効タイマーを維持することと、
前記有効期間の終了に応答して、更新されたシステム情報を前記基地局から取得することと、
前記有効期間の終了前に前記基地局から受信されたタイマーリセットメッセージに応答して、前記有効期間の残りの部分を増加させるように前記有効タイマーを変更することと
を含む方法。
【請求項４８】
コンピュータによって実行されると、前記コンピュータに、請求項４７の前記方法を実行させるコンピュータソフトウェア。
【請求項４９】
請求項４８に記載のコンピュータソフトウェアを記憶した機械可読非一時的記憶媒体。
【請求項５０】
ワイヤレス通信システムで使用するための基地局の動作の方法であって、
端末デバイスとのワイヤレス通信を行うことと、
通信パラメータを定義するシステム情報と、前記システム情報の少なくとも一部を共通に有する２つ以上の基地局のグループを示す識別データとを送信することであって、前記システム情報が、（ｉ）システム情報ブロックの完全なインスタンス、及び（ｉｉ）別の基地局に適用可能なシステム情報のインスタンスに関する差異情報を含む前記システム情報ブロックの部分的なインスタンスを送信することによって、複数のシステム情報ブロックを含む、ことと
を含む方法。
【請求項５１】
コンピュータによって実行されると、前記コンピュータに、請求項５０の前記方法を実行させるコンピュータソフトウェア。
【請求項５２】
請求項５１に記載のコンピュータソフトウェアを記憶した機械可読非一時的記憶媒体。
【請求項５３】
ワイヤレス通信システムで使用するための基地局の動作の方法であって、
端末デバイスとのワイヤレス通信を行うことと、
通信パラメータを定義するシステム情報を送信することであって、前記システム情報が複数のシステム情報ブロックを含む、ことと、
その基地局によって保持されたシステム情報について、その基地局によって維持される有効期間の残りの部分を増加させるよう端末デバイスに指示するためのタイマーリセットメッセージを送信することと
を含む方法。
【請求項５４】
コンピュータによって実行されると、前記コンピュータに、請求項５３の前記方法を実行させるコンピュータソフトウェア。
【請求項５５】
請求項５４に記載のコンピュータソフトウェアを記憶した機械可読非一時的記憶媒体。
【請求項５６】
ワイヤレス通信システムで使用するための基地局の動作の方法であって、
その基地局の通信パラメータを定義するシステム情報のセットを参照する基準データを送信することと、
前記参照されたシステム情報に従って端末デバイスとのワイヤレス通信を行うことと
を含む方法。
【請求項５７】
コンピュータによって実行されると、前記コンピュータに、請求項５６の前記方法を実行させるコンピュータソフトウェア。
【請求項５８】
請求項５７に記載のコンピュータソフトウェアを記憶した機械可読非一時的記憶媒体。
【国際調査報告】
2018533881.tif 000027
2018533881.tif 000028
2018533881.tif 000029
2018533881.tif 000030
2018533881.tif 000031
2018533881.tif 000032